(57)【要約】【課題】アクセスデータを示す文字列を入力することなくウェブページへアクセスする技術において、従来よりも特定のウェブページを繰り返し閲覧するといった用途に適した技術を提供すること。【解決手段】複合機１は、スイッチＩ／Ｆ６０に装着されたスイッチ装置が押下されたことを契機にウェブページへのアクセスを行う。そのため、このウェブページへ再びアクセスするには、再びスイッチ装置を押下するだけでよく、スイッチ装置をスイッチＩ／Ｆ６０に装着し直す必要はない。よって、スイッチ装置に記録されたアクセスデータのウェブページを再度閲覧するまでに、スイッチ装置を紛失したり、他のウェブページのアクセスデータが記録されたスイッチ装置を間違えて装着してしまうといったことが起こり得ない。【選択図】図２
2004240650.tif 000002
【特許請求の範囲】
【請求項１】
ウェブページへアクセスするアクセス手段を備えた通信装置と、
第１のウェブページへアクセスするための第１アクセスデータが記録された記録手段を備え、前記通信装置に装着された状態で操作が可能な操作部材と、からなり、
前記通信装置または前記操作部材は、前記操作部材が前記通信装置に装着された状態で操作された際に、前記操作部材の備える前記記録手段に記録されている前記第１アクセスデータを前記アクセス手段へ伝送させる伝送手段を備えており、
前記通信装置の備える前記アクセス手段は、前記操作部材から伝送されてきた前記第１アクセスデータに基づいて前記第１のウェブページへアクセスする
ことを特徴とする通信システム。
【請求項２】
前記伝送手段は、前記操作部材に備えられており、該操作部材が前記通信装置に装着された状態で操作された際、所定の伝送条件を満足していれば、前記記録手段に記録された前記第１アクセスデータを前記通信装置へ出力することによって、該第１アクセスデータを前記通信装置の前記アクセス手段へ伝送させる
ことを特徴とする請求項１に記載の通信システム。
【請求項３】
前記操作部材においては、
当該操作部材が操作されたことを検出する操作側検出手段と、
前記記録手段に記録された前記第１アクセスデータが、前記伝送手段により前記通信装置へ出力された出力回数をカウントするカウント手段と、が備えられ、
前記伝送手段は、前記操作側検出手段により当該操作部材の操作が検出された際に、前記カウント手段によりカウントされた前記出力回数が所定の回数に到達していなければ、前記伝送条件を満足していると判定する一方、前記出力回数が所定の回数に到達していれば、前記伝送条件を満足していないと判定する
ことを特徴とする請求項２に記載の通信システム。
【請求項４】
前記操作部材において、
前記記録手段には、前記第１アクセスデータの他に、第２のウェブページへアクセスするための第２アクセスデータが記録されており、
前記伝送手段は、当該操作部材が前記通信装置に装着された状態で操作された際、所定の伝送条件を満足していなければ、前記記録手段に記録された前記第２アクセスデータを前記通信装置へ出力することによって、該第２アクセスデータを前記通信装置の前記アクセス手段へ伝送させる
ことを特徴とする請求項２または請求項３に記載の通信システム。
【請求項５】
前記通信装置は、
前記操作部材が当該通信装置に装着された状態で操作されたことを検出する装置側検出手段と、
該装置側検出手段により前記操作部材の操作が検出された以後、所定期間内に該操作部材から前記第１アクセスデータが入力されない場合に、前記伝送条件を満足していないことにより前記第１アクセスデータが入力されない旨を報知する未入力報知手段と、を備えている
ことを特徴とする請求項２から請求項４のいずれかに記載の通信システム。
【請求項６】
前記通信装置は、
前記操作部材の前記カウント手段によるカウント値を問い合わせるためのカウント問合信号を、前記操作部材へ出力するカウント問合手段と、
該問合手段により問合信号を出力した後に前記操作部材から入力したカウント応答信号に基づいて、該カウント応答信号で示されるカウント値を報知するカウント報知手段と、を備え、
前記操作部材は、
前記通信装置から前記問合信号を入力した際に、前記カウント手段によるカウント値を示す前記カウント応答信号を前記通信装置へ出力するカウント応答手段を備えている
ことを特徴とする請求項２から請求項５のいずれかに記載の通信システム。
【請求項７】
前記通信装置は、
前記第１アクセスデータの読出しを許可する許可回数を問い合わせるための許可問合信号を、前記操作部材へ出力する許可問合手段と、
該許可問合手段により前記許可問合信号を出力した後に前記操作部材から入力した許可応答信号に基づいて、該許可応答信号で示される前記許可回数を報知する許可報知手段と、を備え、
前記操作部材は、
前記記録手段に、前記許可回数が記録されており、
前記通信装置から前記許可問合信号を入力した際に、前記記録手段に記録された前記許可回数を示す前記許可応答信号を前記通信装置へ出力する許可応答手段を備えている
ことを特徴とする請求項２から請求項６のいずれかに記載の通信システム。
【請求項８】
前記通信装置において、
前記問合手段は、前記操作部材から前記第１アクセスデータが伝送されてきた際に、前記問合信号を出力する
ことを特徴とする請求項６または請求項７に記載の通信システム。
【請求項９】
前記通信装置においては、
前記操作部材が当該通信装置に装着されたことを検出する装着検出手段が備えられ、
前記問合手段は、前記装着検出手段により前記操作部材が装着されたことが検出された際に、前記問合信号を出力する
ことを特徴とする請求項６または請求項７に記載の通信システム。
【請求項１０】
前記伝送手段は、前記通信装置に備えられており、該通信装置に前記操作部材が装着された状態で操作された際、所定の伝送条件を満足していれば、前記操作部材の備える前記記録手段から前記第１アクセスデータを読み出すことによって、該第１アクセスデータを前記アクセス手段へ伝送させる
ことを特徴とする請求項１に記載の通信システム。
【請求項１１】
前記操作部材において、
前記記録手段には、前記第１アクセスデータの他に、前記通信装置からの指令を受けて前記第１アクセスデータの読み出された読出回数が記録されるように構成されており、
前記通信装置においては、
前記操作部材が操作されたことを検出する装置側検出手段と、
該装置側検出手段により前記操作部材の操作が検出された際に、該操作部材の備える前記記録手段から前記読出回数を読み出す読出手段と、が備えられ、
前記伝送手段は、前記読出手段により読み出された前記読出回数が所定の回数に到達していなければ、前記伝送条件を満足していると判定する一方、前記読出回数が所定の回数に到達していれば、前記伝送条件を満足していないと判定するように構成されており、
さらに、前記通信装置においては、前記伝送手段により前記第１アクセスデータが読み出された際、前記操作部材の備える前記記録手段に記録されている前記読出回数を、該読出回数に１を加算した回数に書き換える書換手段を備えている
ことを特徴とする請求項１０に記載の通信システム。
【請求項１２】
前記操作部材において、
前記記録手段には、前記第１アクセスデータの読み出しを許可すべき許可回数が記録されており、
前記通信装置において、
前記読出手段は、前記装置側検出手段により前記操作部材の操作が検出された際に、該操作部材の備える前記記録手段から前記読出回数および前記許可回数を読み出すように構成されており、
前記伝送手段は、前記読出手段により読み出された前記読出回数が、該読出回数と共に読み出された前記許可回数に到達していれば、前記伝送条件を満足していると判定する一方、前記読出回数が前記許可回数に到達していれば、前記伝送条件を満足していないと判定するように構成されている
ことを特徴とする請求項１１に記載の通信システム。
【請求項１３】
前記操作部材において、
前記記録手段には、前記第１アクセスデータの他に、第２のウェブページへアクセスするための第２アクセスデータが記録されており、
前記通信装置において、
前記伝送手段は、当該通信装置に前記操作部材が装着された状態で操作された際、所定の伝送条件を満足していなければ、前記操作部材の備える前記記録手段から前記第２アクセスデータを読み出すことによって、該第２アクセスデータを前記アクセス手段へ伝送させる
ことを特徴とする請求項１０から請求項１２のいずれかに記載の通信システム。
【請求項１４】
前記通信装置は、
当該通信装置に前記操作部材が装着された状態で操作された際、前記伝送条件を満足していない場合に、伝送条件を満足していないことにより前記第１アクセスデータが読み出されない旨を報知する未読出報知手段を備えている
ことを特徴とする請求項１０から請求項１２のいずれかに記載の通信システム。
【請求項１５】
前記通信装置は、
前記読出手段により読み出された回数を報知する回数報知手段を備えている
ことを特徴とする請求項１１から請求項１４のいずれかに記載の通信システム。
【請求項１６】
前記通信装置は、
画像の印刷媒体への印刷を行う印刷手段と、
前記アクセス手段によりアクセスされたウェブページを、前記印刷手段に印刷させる印刷指令手段と、を備えている
ことを特徴とする請求項１から請求項１５のいずれかに記載の通信システム。
【請求項１７】
前記通信装置は、
画像の表示を行う表示手段と、
前記アクセス手段によりアクセスされたウェブページを、前記表示手段に表示させる表示指令手段と、を備えている
ことを特徴とする請求項１から請求項１５のいずれかに記載の通信システム。
【請求項１８】
請求項１から請求項１７のいずれかに記載の操作部材として機能するスイッチ操作部材。
【請求項１９】
請求項１から請求項１７のいずれかに記載の通信装置に装着された状態において利用者が視認可能な領域に、前記第１のウェブページに関する情報が表示された表示領域が形成されている
ことを特徴とする請求項１８に記載のスイッチ操作部材。
【請求項２０】
請求項１から請求項１７のいずれかに記載の通信装置として機能する端末装置。
【請求項２１】
請求項１から請求項１７のいずれかに記載の伝送手段として機能させるための各種手順を、コンピュータシステムに実行させるためのプログラム。
【請求項２２】
請求項２から請求項９のいずれかに記載の伝送手段として機能させるための各種手順を、コンピュータシステムに実行させるためのプログラム。
【請求項２３】
請求項２から請求項９のいずれかに記載のアクセス手段として機能させるための各種手順を、コンピュータシステムに実行させるためのプログラム。
【請求項２４】
請求項１０から請求項１５のいずれかに記載のアクセス手段および伝送手段として機能させるための各種手順を、コンピュータシステムに実行させるためのプログラム。
【発明の詳細な説明】
【０００１】
【発明の属する技術分野】
本発明は、アクセスデータを示す文字列を入力することなくウェブページへアクセスすることができる通信システム、スイッチ操作部材、端末装置およびプログラムに関する。
【０００２】
【従来の技術】
現在、インターネットなどのネットワーク経由でデータ通信可能な通信装置を利用し、ネットワーク経由でウェブページへアクセスすることによって、このウェブページを閲覧することが行われている。
【０００３】
ただ、上述した通信装置を利用してウェブページへアクセスする際、利用者は、ウェブページへアクセスするためのアクセスデータ（ＵＲＬ：Ｕｎｉｆｏｒｍ  Ｒｅｓｏｕｒｃｅ  Ｌｏｃａｔｏｒ）を示す文字列を、通信装置の備える操作部材により一文字ずつ入力するといった面倒な操作を行う必要があった。
【０００４】
現在では、アクセスデータを示す文字列を入力するのに適した操作部材を備えていない固定電話機や携帯電話機などの通信装置においてもウェブページへアクセスする機能を備えているものがあるが、このような通信装置によりウェブページへアクセスする際には、よりアクセスデータを示す文字列を入力する操作が面倒なものとなってしまう。
【０００５】
そこで、近年では、アクセスデータを示す文字列を入力するといった面倒な操作なしにウェブページへアクセスするための技術が種々提案されている。
例えば、記録媒体（メモリーカード）を着脱可能な通信装置（情報処理装置）において、装着された記録媒体がアクセスデータ（アドレス情報）の記録された記録媒体である場合に、この記録媒体からアクセスデータを読み出し、読み出したアクセスデータに対応するウェブページ（ホームページ）へアクセスする（インターネット閲覧ソフトウェアを利用）、といった技術（情報アクセス方法）である（特許文献１参照）。
【０００６】
【特許文献１】
特開２００２−１０８７３７号公報
【０００７】
【発明が解決しようとする課題】
しかし、上述の技術では、記録媒体が通信装置へ装着されたことを契機にウェブページへのアクセスが行われるため、特定のウェブページ（以降、特定ページとする）へ再びアクセスするには、記録媒体を通信装置に装着し直さなければならない。よって、特定ページへ再びアクセスするまでの間は、特定ページに対応するアクセスデータが記録された記録媒体は通信装置から取り外されるため、利用者が特定ページを再度閲覧しようとしたときに、例えば、この記録媒体を紛失してしまったり、他のデータが記録された記録媒体と間違えて装着してしまうことにより、結果的に特定ページを閲覧することができなくなる恐れがある。
【０００８】
このように、上述の技術は、特定ページを繰り返し閲覧するといった用途に適しているとはいえない。
本発明は、アクセスデータを示す文字列を入力することなくウェブページへアクセスする技術において、従来よりも特定のウェブページを繰り返し閲覧するといった用途に適した技術を提供することを目的とする。
【０００９】
【課題を解決するための手段および発明の効果】
上記問題を解決するため請求項１に記載の通信システムは、ウェブページへアクセスするアクセス手段を備えた通信装置と、第１のウェブページへアクセスするための第１アクセスデータが記録された記録手段を備え、通信装置に装着された状態で操作が可能となる操作部材と、からなる。
【００１０】
また、通信装置または操作部材は、操作部材が通信装置に装着された状態で操作された際に、操作部材の備える記録手段に記録されている第１アクセスデータをアクセス手段へ伝送させる伝送手段を備えており、通信装置の備えるアクセス手段は、操作部材から伝送されてきた第１アクセスデータに基づいて第１のウェブページへアクセスする。
【００１１】
このように構成された通信システムによれば、操作部材が通信装置に装着された状態で操作されたことを契機に第１のウェブページへのアクセスが行われる。そのため、この第１のウェブページへ再びアクセスするには、再び操作部材を操作するだけでよく、操作部材そのものを通信装置に装着し直す必要はない。よって、利用者が第１のウェブページを再度閲覧するまでの間に、操作部材を紛失したり、記録手段に他のデータが記録された操作部材を間違えて装着してしまうといったことが起こり得ない。このことから、特定のウェブページを繰り返し閲覧するといった用途に使用するのに好適である。
【００１２】
なお、この通信システムにおける操作部材は、通信装置に装着された状態で操作が可能な構成であればよく、具体的には、例えば、通信装置における操作部材を装着する装着部分に、操作部材を操作するための操作機構（例えば、スイッチ機構など）が備えられた構成を考えることができる。この場合、操作部材が通信装置に装着されていなければ、操作部材を操作することができないため、操作部材が通信装置に装着されていない状態において伝送手段によりデータが通信装置へ伝送されてしまうことを防止できる。また、操作部材を操作するための操作機構が操作部材そのものに備えられた構成を考えることもできる。この場合、操作部材が通信装置に装着されることにより両者間におけるデータの伝送経路が形成されるように構成すれば、操作部材が通信装置に装着されていない状態で操作されたとしても、伝送手段によりデータが通信装置へ伝送されてしまうことを防止できる。また、操作部材を通信装置に装着したことによって、両者の装着部分近辺に操作部材を操作するための操作機構が形成されるような構成を考えることもできる。この場合、操作部材と通信装置との間におけるデータの伝送経路が、操作部材が通信装置に装着されていない状態で形成されていたとしても、操作部材を操作することができないため、操作部材が通信装置に装着されていない状態において伝送手段によりデータが通信装置へ伝送されてしまうことを防止できる。
【００１３】
また、アクセス手段は、アクセスデータに基づいてウェブページへアクセスする手段であって、ネットワーク経由で接続されたサーバーへウェブページの送信を要求して、この要求に応じてサーバーから送信されてきたウェブページを受信することによってウェブページへアクセスする手段である。ここで、『アクセスデータ』とは、ネットワーク上に存在するハードウェアやソフトウェアなどの資源を識別（資源の場所を特定）するための識別情報（ＵＲＩ；Ｕｎｉｆｏｒｍ  Ｒｅｓｏｕｒｃｅ
Ｉｄｅｎｔｉｆｉｅｒｓ）のことである。
【００１４】
また、伝送手段は、操作部材の備える記録手段に記録されている第１アクセスデータをアクセス手段へ伝送させる手段であって、操作部材が通信装置に装着された状態で操作された際、無条件で第１アクセスデータを伝送させるように構成すればよいが、所定の伝送条件を満足している場合のみ、第１アクセスデータを伝送させるように構成してもよい。
【００１５】
このように「所定の伝送条件を満足している場合」のみ、第１アクセスデータを伝送させるための構成は、伝送手段が操作部材に備えられている場合と、通信装置に備えられている場合とで異なる構成になる。
まず、伝送手段が操作部材に備えられている例を以下に説明する。このように、伝送手段が操作部材に備えられている場合には、例えば、請求項２に記載のような構成を考えることができる。
【００１６】
請求項２に記載の通信システムにおいて、伝送手段は、操作部材が通信装置に装着された状態で操作された際、所定の伝送条件を満足していれば、記録手段に記録された第１アクセスデータを通信装置へ出力することによって、この第１アクセスデータを通信装置のアクセス手段へ伝送させる、ように構成されている。
【００１７】
このように構成された通信システムによれば、操作部材は、操作部材自身が操作された際、所定の伝送条件を満足している場合のみ、第１アクセスデータを通信装置のアクセス手段へ伝送させ、通信装置に第１のウェブページへアクセスさせることができる。これによって、本通信システムを利用して第１のウェブページを閲覧することを、何らかの伝送条件により制限することができる。
【００１８】
この「伝送条件」としては、例えば、特定の日付、時間、および、これらで示される期間などを利用することが考えられ、この場合、本通信システムを利用して第１のウェブページを閲覧することを、日付、時間および期間などにより制限することができる
また、操作部材の備える記録装置に、伝送条件を満足しているか否かを判定するためのデータを記録しておき、このデータを伝送条件の判定に利用することも考えられる。
【００１９】
具体的な構成としては、例えば、操作部材において、利用者に認証データを入力させる認証入力手段が備えられ、記録手段には、あらかじめ認証入力手段により入力された認証データが記録されており、認証入力手段は、操作部材の操作が検出された、または、操作部材を操作するのに先立って、利用者に認証データを入力させ、伝送手段は、操作部材の操作が検出された際に、認証入力手段により入力された認証データと記録手段に記録されている認証データとが一致すれば、伝送条件を満足していると判定する一方、一致しなければ、伝送条件を満足していないと判定する、といった構成を考えることができる。
【００２０】
このように構成すれば、操作部材を操作した利用者が認証された場合のみ、第１アクセスデータが通信装置へ出力され、第１のウェブページへアクセスすることができる。そのため、特定の利用者のみが、本通信システムを利用して第１のウェブページを閲覧できるようにすることができる。
【００２１】
なお、認証データとしてパスワードやＩＤ（ｉｄｅｎｔｉｆｉｃａｔｉｏｎ）を採用した場合であれば、入力キーを上述の認証入力手段として、操作部材の操作を検出したタイミング、または、操作部材を操作する直前のタイミングでパスワードやＩＤを利用者に入力させるように構成すればよい。また、認証データとしてバイオメトリクス認証における身体的特徴（例えば、指紋、掌紋、手形、手の甲の静脈、虹彩、顔、音声など）を示すデータを採用した場合であれば、各種センサからなる入力装置を認証入力手段として、上述したタイミングで身体的特徴を示すデータを利用者に入力させるように構成すればよい。
【００２２】
また、操作部材の備える記録装置に記録しておいたデータを伝送条件として利用する具体的な構成としては、請求項３に記載のような構成を考えることもできる。
請求項３に記載の通信システムは、操作部材において、操作部材が操作されたことを検出する操作側検出手段と、記録手段に記録された第１アクセスデータが伝送手段により通信装置へ出力された出力回数をカウントするカウント手段と、が備えられ、伝送手段は、操作側検出手段により操作部材の操作が検出された際に、カウント手段によりカウントされた出力回数が所定の回数に到達していなければ、伝送条件を満足していると判定する一方、出力回数が所定の回数に到達していれば、伝送条件を満足していないと判定する。
【００２３】
このように構成された通信システムによれば、カウント手段によりカウントされた出力回数、つまり、操作部材の操作により第１のウェブページへアクセスした回数が所定の回数に到達していない場合のみ、第１アクセスデータを通信装置へ出力して、第１のウェブページへアクセスすることができる。そのため、本通信システムを利用して第１のウェブページを閲覧することを出力回数により制限することができる。
【００２４】
なお、上述したカウント手段によりカウントされた出力回数とは、第１アクセスデータが伝送手段により通信装置へ出力された回数であって、例えば、初期値「０」からカウントアップされた回数、つまり、操作部材の操作により第１のウェブページへアクセスした回数のことや、上述した「所定の回数」からカウントダウンされた回数、つまり、操作部材の操作により第１のウェブページへアクセスできる残り回数などのことである。
【００２５】
また、操作側検出手段は、例えば、通信装置との間で入出力する信号の信号レベルが操作部材の操作に伴って変化する（信号を入出力する）場合であれば、この操作部材の操作に伴う信号レベルの変化（信号の入出力）を検出するように構成すればよい。また、操作部材の操作に伴う物理的な変位量を検出するセンサにより、操作部材が通信装置に装着された状態で操作されたことを検出するように構成してもよい。
【００２６】
また、上述の伝送手段は、所定の伝送条件を満足していない場合、例えば、第１アクセスデータ以外の何らかのデータを通信装置へ出力するように構成すればよい。ここで、「何らかのデータ」としては、例えば、第１のウェブページ以外のウェブページへアクセスするためのアクセスデータを考えることができる。
【００２７】
このように、第１のウェブページ以外のウェブページへアクセスするためのアクセスデータを通信装置へ出力する具体的な構成としては、請求項４に記載のような構成を考えることができる。
請求項４に記載の通信システムは、操作部材において、記録手段には、第１アクセスデータの他に、第２のウェブページへアクセスするための第２アクセスデータが記録され、伝送手段は、操作部材が通信装置に装着された状態で操作された際、所定の伝送条件を満足していなければ、記録手段に記録された第２アクセスデータを通信装置へ出力することによって、この第２アクセスデータを通信装置のアクセス手段へ伝送させる。
【００２８】
このように構成された通信システムによれば、操作部材は、操作部材自身が操作された際、所定の伝送条件を満足していない場合に、第２アクセスデータを通信装置のアクセス手段へ伝送させ、通信装置に第２のウェブページへアクセスさせることができる。これによって、所定の伝送条件を満足していない場合には、第１のウェブページとは異なる第２のウェブページを利用者に閲覧させることができる。
【００２９】
なお、この構成においては、伝送手段が、第１アクセスデータと第２アクセスデータとを識別して伝送させる必要があるが、両アクセスデータを識別するための構成は特に限定されない。例えば、記録手段において、あらかじめ第１アクセスデータを記録するための第１記録領域と、第２アクセスデータを記録するための第２記録領域とを決めておき、伝送条件を満足している場合には、第１記録領域に記録されているデータを第１アクセスデータとして伝送させ、伝送条件を満足していない場合には、第２記録領域に記録されているデータを第２アクセスデータとして伝送させるように構成すればよい。また、第１アクセスデータおよび第２アクセスデータの記録手段における名称（ファイル名）を特定の名称に設定しておき、伝送条件を満足している場合には、記録手段に記録されているデータのうち、第１アクセスデータに対応する名称のデータを伝送させ、伝送条件を満足していない場合には、第２アクセスデータに対応する名称のデータを伝送させるように構成すればよい。
【００３０】
また、上述した「第２のウェブページ」とは、例えば、伝送条件を満足していない旨を通知するためのメッセージが記載されたページや、伝送条件を満足することができるように利用者に何らかの入力操作を行わせるためのページなどである。
【００３１】
また、上述の伝送手段は、所定の伝送条件を満足していない場合に、第１アクセスデータを含むデータの出力を一切行わないように構成してもよい。ただ、データの出力を一切行わない場合、操作部材を操作したにも拘わらず第１アクセスデータが通信装置へ出力されず、第１のウェブページが閲覧できないため、利用者にとっては、操作部材を操作していない、または、通信システムに何らかのトラブルが発生したと誤認してしまう恐れがある。
【００３２】
そこで、請求項５に記載のように、通信装置が、操作部材が通信装置に装着された状態で操作されたことを検出する装置側検出手段と、装置側検出手段により操作部材の操作が検出された以後、所定期間内に操作部材から第１アクセスデータが入力されない場合に、伝送条件を満足していないことにより第１アクセスデータが入力されない旨を報知する未入力報知手段と、を備えているとよい。
【００３３】
このように構成された通信システムによれば、操作部材が操作された際、伝送条件を満足していない場合に、通信装置側において、操作部材が操作されたこと、および、第１アクセスデータが入力されないことを検出し、所定の伝送条件を満足していない旨を未入力報知手段により報知することができる。よって、利用者は、未入力報知手段による報知で伝送条件を満足していない旨を確認できるため、操作部材を操作していない、または、通信システムに何らかのトラブルが発生したと誤認してしまう恐れがない。
【００３４】
なお、この構成における装置側検出手段は、例えば、操作部材との間で入出力する信号の信号レベルが操作部材の操作に伴って変化する（信号を入出力する）場合であれば、この操作部材の操作に伴う信号レベルの変化（信号の入出力）を検出するように構成すればよい。また、操作部材の操作に伴う物理的な変位量を検出するセンサにより、操作部材が通信装置に装着された状態で操作されたことを検出するように構成してもよい。
【００３５】
また、未入力報知手段は、伝送条件を満足していないことにより第１アクセスデータが入力されない旨を報知する手段であって、報知を行うための具体的な構成は特に限定されない。例えば、第１アクセスデータが入力されない旨のメッセージを含む文字や画像を、表示手段に表示させたり印刷手段に印刷させることにより報知を行うように構成すればよい。また、上述のメッセージをスピーカで出力することにより報知を行うように構成してもよい。
【００３６】
また、請求項６に記載の通信システムは、通信装置が、操作部材のカウント手段によるカウント値を問い合わせるためのカウント問合信号を操作部材へ出力するカウント問合手段と、カウント問合手段によりカウント問合信号を出力した後に操作部材から入力したカウント応答信号に基づいて、このカウント応答信号で示されるカウント値を報知するカウント報知手段と、を備えており、操作部材が、通信装置からカウント問合信号を入力した際に、カウント手段によるカウント値を示すカウント応答信号を通信装置へ出力するカウント応答手段を備えている。
【００３７】
このように構成された通信システムによれば、通信装置が、カウント問合信号を入力した操作部材から出力されてくるカウント応答信号に基づいて、このカウント応答信号で示されるカウント値、つまり、第１のウェブページへアクセスした回数または第１のウェブページへアクセスできる残り回数をカウント報知手段により報知することができる。これによって、利用者は、カウント報知手段による報知で、第１のウェブページへアクセス（第１のウェブページを閲覧）した回数またはアクセスできる残り回数を確認することができる。
【００３８】
また、請求項７に記載の通信システムは、通信装置が、第１アクセスデータの読出しを許可する許可回数を問い合わせるための許可問合信号を操作部材へ出力する許可問合手段と、許可問合手段により許可問合信号を出力した後に操作部材から入力した許可応答信号に基づいて、許可応答信号で示される許可回数を報知する許可報知手段と、を備えており、操作部材が、記記録手段に許可回数が記録されており、通信装置から許可問合信号を入力した際に、記録手段に記録された許可回数を示す許可応答信号を通信装置へ出力する許可応答手段を備えている。
【００３９】
このように構成された通信システムによれば、通信装置側が、許可問合信号を入力した操作部材から出力されてくる許可応答信号に基づいて、この許可応答信号で示される許可回数、つまり、第１のウェブページへアクセス可能な最大回数を許可報知手段により報知することができる。これによって、利用者は、許可報知手段による報知で第１のウェブページへアクセスできる最大回数（第１のウェブページを閲覧可能な最大回数）を確認することができる。
【００４０】
なお、請求項６または請求項７における各報知手段は、それぞれカウント応答信号で示されるカウント値，許可応答信号で示される許可回数を報知する手段であって、報知を行うための具体的な構成は特に限定されない。例えば、カウント値または回数を示す文字や画像を、表示手段に表示させたり印刷手段に印刷させることにより報知を行うように構成すればよい。また、カウント値または回数をスピーカで音声として出力することにより報知を行うように構成してもよい。
【００４１】
また、各問合手段（カウント問合手段、許可問合手段）は、問合信号（カウント問合信号、許可問合信号）を操作部材へ出力する手段であって、問合信号を出力するタイミングは特に限定されない。例えば、通信装置の備える操作手段により所定の操作が行われたタイミングで出力するように構成すればよい。このように構成すれば、利用者は、任意のタイミングで第１のウェブページへアクセスした回数、第１のウェブページへアクセスできる残り回数、または、第１のウェブページへアクセスできる最大回数を確認することができる。
【００４２】
また、問合信号を、操作部材から第１アクセスデータが伝送されてきたタイミングで出力するように構成してもよい。具体的には、請求項８に記載のように、通信装置において、問合手段が、操作部材から第１アクセスデータが伝送されてきた際に、問合信号を出力するように構成すればよい。
【００４３】
このように構成された通信システムによれば、操作部材から通信装置へ第１アクセスデータが伝送されてきたタイミングで問合信号が出力される。そのため、利用者は、このタイミングで第１のウェブページへアクセスした回数、第１のウェブページへアクセスできる残り回数、または、第１のウェブページへアクセスできる最大回数を確認することができる。
【００４４】
また、上述の問合手段は、問合信号を操作部材が通信装置に装着されたタイミングで出力するように構成してもよい。具体的には、請求項９に記載のように、通信装置においては、操作部材が通信装置に装着されたことを検出する装着検出手段が備えられ、問合手段が、装着検出手段により操作部材が装着されたことが検出された際に、問合信号を出力するように構成すればよい。
【００４５】
このように構成された通信システムによれば、操作部材が通信装置に装着されたタイミングで問合信号（アクセス問合信号または許可問合信号）が出力される。そのため、利用者は、このタイミングで第１のウェブページへアクセスした回数、第１のウェブページへアクセスできる残り回数、または、第１のウェブページへアクセスできる最大回数を確認することができる。
【００４６】
なお、この構成における装着検出手段は、操作部材が通信装置に装着された状態で操作されたことを検出する手段であって、例えば、操作部材が外部との間で入出力する信号の信号レベルが操作部材の装着に伴って変化する（信号を入出力する）場合であれば、操作部材の装着に伴う信号レベルの変化（信号の入出力）を検出するように構成すればよい。また、操作部材の装着に伴う物理的な変位量を検出するセンサにより操作部材の装着を検出するように構成すればよい。
【００４７】
以上が、伝送手段が操作部材に備えられている例の説明である。
そして、伝送手段が通信装置に備えられている例を以下に説明する。このように、伝送手段が通信装置に備えられている場合には、例えば、請求項９に記載のような構成を考えることができる。
【００４８】
請求項９に記載の通信システムにおいて、伝送手段は、通信装置に備えられており、通信装置に操作部材が装着された状態で操作された際、所定の伝送条件を満足していれば、操作部材の備える記録手段から第１アクセスデータを読み出すことによって、第１アクセスデータをアクセス手段へ伝送させる。
【００４９】
このように構成された通信システムによれば、通信装置は、操作部材が操作された際、所定の伝送条件を満足している場合のみ、操作部材の記録手段に記録された第１アクセスデータをアクセス手段へ伝送させ、第１のウェブページへアクセスすることができる。
【００５０】
なお、このように、伝送手段が操作部材に備えられている構成においては、請求項２と同様に、上述の伝送条件として、例えば、特定の日付、時間、および、これらで示される期間などを利用することが考えられる。
また、操作部材の備える記録装置に、伝送条件を満足しているか否かを判定するためのデータを記録しておき、このデータを伝送条件として利用することも考えられる。具体的な構成としては、例えば、請求項１１に記載のように構成すればよい。
【００５１】
請求項１１に記載の通信システムは、操作部材において、記録手段が、第１アクセスデータの他に、通信装置からの指令を受けて第１アクセスデータの読み出された読出回数が記録されるように構成されている。また、通信装置においては、操作部材が操作されたことを検出する装置側検出手段と、装置側検出手段により操作部材の操作が検出された際に、操作部材の備える記録手段から読出回数を読み出す読出手段と、操作部材の備える記録手段に記録されている読出回数を、この読出回数に１を加算回数に書き換える書換手段とが備えられている。
【００５２】
そして、この通信装置において、伝送手段は、読出手段により読み出された読出回数が所定の回数に到達していなければ、伝送条件を満足していると判定する一方、読出回数が所定の回数に到達していれば、伝送条件を満足していないと判定するように構成されており、書換手段は、伝送手段により第１アクセスデータが読み出された際に、読出回数の書き換えを行うように構成されている。
【００５３】
このように構成された通信システムによれば、読出手段により読み出された読出回数、つまり、操作部材が操作されることにより第１のウェブページへアクセスした回数が所定の回数に到達していない場合のみ、第１アクセスデータを通信装置へ出力して、第１のウェブページへアクセスすることができる。そのため、本通信システムを利用して第１のウェブページを閲覧することを読出回数により制限することができる。
【００５４】
なお、上述した読出手段により読み出された読出回数とは、例えば、操作部材から伝送手段により第１アクセスデータが読み出された回数であって、初期値「０」からカウントアップされた回数、つまり、操作部材の操作により第１のウェブページへアクセスした回数のことである。また、上述した「所定の回数」からカウントダウンされた回数、つまり、操作部材の操作により第１のウェブページへアクセスできる残り回数のことであり、特に、この場合、書換手段は読出回数から「１」を減算（「−１」を加算）した回数に書き換える。
【００５５】
また、この構成における装置側検出手段は、請求項５に記載の装置側検出手段と同様に、操作部材が通信装置に装着された状態で操作されたことを検出する手段である。
また、読出手段は、操作部材の備える記録手段から読出回数を示すデータを読み出す手段であって、装置側検出手段により操作部材の操作が検出された際に、データの読出しを行う。
【００５６】
また、書換手段は、操作部材の備える記録手段に記録されている読出回数を、この読出回数に「１」を加算した回数に書き換える手段である。また、読出回数を書き換えるための具体的な構成としては、伝送手段により第１アクセスデータが読み出された際に、例えば、読出回数を示すデータを、第１アクセスデータが読み出される前の段階において、読出手段により読み出された読出回数に「１」を加算した回数を示すデータに更新するように構成すればよい。
【００５７】
また、この構成において、読出回数が初期値「０」からカウントアップされる回数を示すものであれば、請求項１２に記載のように、操作部材において、記録手段に第１アクセスデータの読み出しを許可すべき許可回数を記録しておき、通信装置において、読出手段を、装置側検出手段により操作部材の操作が検出された際に、操作部材の備える記録手段から読出回数および許可回数を読み出すように構成して、伝送手段を、読出手段により読み出された読出回数が、この読出回数と共に読み出された許可回数に到達していれば、伝送条件を満足していると判定する一方、読出回数が許可回数に到達していれば、伝送条件を満足していないと判定するように構成する、とよい。
【００５８】
このように構成された通信システムによれば、第１のウェブページへアクセスできる最大回数を、操作部材の備える記録手段に記録された許可回数に制限することができる。つまり、操作部材の記録手段に許可回数を記録しておけば、操作部材側で第１のウェブページを閲覧する最大回数を制限することができる。
【００５９】
また、請求項１１に記載の構成において、読出回数が「所定の回数」からカウントダウンされる回数を示すものであれば、操作部材において、記録手段に第１アクセスデータの読み出しを許可すべき許可回数を初期値とした回数を読出回数として記録しておき、通信装置において、伝送手段を、読出手段により読み出された読出回数が「０」に到達していなければ、伝送条件を満足していると判定する一方、「０」に到達していれば、伝送条件を満足していないと判定するように構成する、とよい。この場合も同様に、第１のウェブページへアクセスできる最大回数を、読出回数の初期値としされた許可回数に制限することができる。
【００６０】
また、上述の伝送手段は、所定の伝送条件を満足していない場合に、例えば、第１アクセスデータ以外の何らかのデータを操作部材から読み出すように構成すればよい。ここで、「何らかのデータ」としては、例えば、第１のウェブページ以外のウェブページへアクセスするためのアクセスデータを考えることができる。
【００６１】
このように、第１のウェブページ以外のウェブページへアクセスするためのアクセスデータを通信装置へ出力する具体的な構成としては、請求項１３に記載のような構成を考えることができる。
請求項１３に記載の通信システムは、操作部材において、記録手段には、第１アクセスデータの他に、第２のウェブページへアクセスするための第２アクセスデータが記録されており、通信装置において、伝送手段は、通信装置に操作部材が装着された状態で操作された際、所定の伝送条件を満足していなければ、操作部材の備える記録手段から第２アクセスデータを読み出すことによって、第２アクセスデータをアクセス手段へ伝送させる。
【００６２】
このように構成された通信システムによれば、通信装置は、操作部材が操作された際、所定の伝送条件を満足していない場合に、操作部材の記録手段に記録された第２アクセスデータをアクセス手段へ伝送させ、第２のウェブページへアクセスすることができる。これによって、所定の伝送条件を満足していない場合には、第１のウェブページとは異なる第２のウェブページを利用者に閲覧させることができる。
【００６３】
なお、この構成においては、伝送手段が、第１アクセスデータと第２アクセスデータとを識別して伝送させる必要があるが、請求項４と同様に、両アクセスデータを識別するための構成は特に限定されない。
また、上述した「第２のウェブページ」とは、請求項４と同様のウェブページである。
【００６４】
また、上述の伝送手段は、所定の伝送条件を満足していない場合に、操作部材からデータを一切読み出さないように構成してもよい。ただ、データを一切読み出さない場合、操作部材を操作したにも拘わらず第１アクセスデータが通信装置へ出力されず、第１のウェブページを閲覧できないため、利用者にとっては、操作部材を操作していない、または、通信システムに何らかのトラブルが発生したと誤認してしまう恐れがある。
【００６５】
そこで、請求項１４に記載のように、通信装置が、通信装置に操作部材が装着された状態で操作された際、伝送条件を満足していない場合に、伝送条件を満足していないことにより前記第１アクセスデータが読み出されない旨を報知する未読出手段を備えている、とよい。
【００６６】
このように構成された通信システムによれば、操作部材が操作された際、伝送条件を満足していない場合に、通信装置側において、伝送条件を満足していないことにより前記第１アクセスデータが読み出されない旨を未読出報知手段により報知することができる。よって、利用者は、未読出報知手段による報知で伝送条件を満足していない旨を確認できるため、操作部材を操作していない、または、通信システムに何らかのトラブルが発生したと誤認してしまう恐れがない。
【００６７】
なお、上述の未読出報知手段は、伝送条件を満足していないことにより第１アクセスデータが読み出されない旨を報知する手段であって、報知を行うための具体的な構成は特に限定されない。例えば、第１アクセスデータが読み出されない旨のメッセージを含む文字や画像を、表示手段に表示させたり印刷手段に印刷させることにより報知を行うように構成すればよい。また、上述のメッセージをスピーカにより出力することにより報知を行うように構成すればよい。
【００６８】
また、請求項１５に記載の通信システムは、通信装置が、読出手段により読み出された回数を報知する回数報知手段を備えている。
このように構成された通信システムによれば、通信装置が、読出手段により読み出された回数、つまり、第１のウェブページへアクセスした回数、第１のウェブページへアクセスできる残り回数、または、第１のウェブページへアクセスできる最大回数を回数報知手段により報知することができる。これによって、利用者は、回数報知手段による報知で、第１のウェブページへアクセスした（第１のウェブページを閲覧）回数、第１のウェブページへアクセスできる残り回数、または、第１のウェブページへアクセスできる最大回数を確認することができる。
【００６９】
以上が、伝送手段が通信装置に備えられている例の説明である。
また、請求項１６に記載の通信システムは、通信装置が、画像の印刷媒体への印刷を行う印刷手段と、アクセス手段によりアクセスされたウェブページを、印刷手段に印刷させる印刷指令手段と、を備えている。
【００７０】
このように構成された通信システムによれば、通信装置側において、アクセス手段によりアクセスされたウェブページ（第１または第２ウェブページ）を印刷媒体に印刷させることができる。
また、請求項１７に記載の通信システムは、記通信装置が、画像の表示を行う表示手段と、アクセス手段によりアクセスされたウェブページを、表示手段に表示させる表示指令手段と、を備えている。
【００７１】
このように構成された通信システムによれば、通信装置側において、アクセス手段によりアクセスされたウェブページ（第１または第２ウェブページ）を表示手段により表示することができる。
また、請求項１８に記載のスイッチ操作部材は、請求項１から請求項１７のいずれかに記載の操作部材として機能するスイッチ操作部材である。
このように構成されたスイッチ操作部材によれば、請求項１から請求項１７のいずれかに記載の通信システムの一部を構成することができるため、このスイッチ操作部材を一部構成とした通信システムは、請求項１から請求項１７のいずれかに記載の通信システムと同様の作用・効果を得ることができる。
また、このスイッチ操作部材は、請求項１９に記載のように、請求項１から請求項１７のいずれかに記載の通信装置に装着された状態において利用者が視認可能な領域に、第１のウェブページに関する情報が表示された表示領域が形成されている、とよい。
【００７２】
このように構成されたスイッチ操作部材によれば、第１のウェブページに関する情報が表示された表示領域が形成されている。この表示領域は、通信装置に装着された状態において利用者が視認可能な領域に形成されているため、利用者は、スイッチ操作部材が通信装置に装着された状態において第１のウェブページに関する情報を確認したうえで、間違いなくスイッチ操作部材を操作することができる。
【００７３】
なお、この構成における「表示領域」とは、第１のウェブページに関する情報が表示された領域であって、例えば、情報の内容を記載または刻印したり、情報の内容が記載されたシールを貼り付けたりすればよい。また、「第１のウェブページに関する情報」とは、例えば、第１のウェブページのタイトルやアクセスデータなどのことである。
また、請求項２０に記載の端末装置は、請求項１から請求項１７のいずれかに記載の通信装置として機能する端末装置である。
【００７４】
このように構成された端末装置によれば、請求項１から請求項１７のいずれかに記載の通信システムの一部を構成することができるため、この端末装置を一部構成とした通信システムは、請求項１から請求項１７のいずれかに記載の通信システムと同様の作用・効果を得ることができる。
【００７５】
また、請求項２１に記載のプログラムは、請求項１から請求項１７のいずれかに記載の伝送手段として機能させるための各種手順を、コンピュータシステムに実行させるためのプログラムである。このプログラムを実行するコンピュータシステムは、請求項１から請求項１７のいずれかに記載の通信システムの一部を構成することができる。
【００７６】
また、請求項２２に記載のプログラムは、請求項２から請求項９のいずれかに記載の伝送手段として機能させるための各種手順を、コンピュータシステムに実行させるためのプログラムである。このプログラムを実行するコンピュータシステムは、請求項２から請求項９のいずれかに記載の操作部材の一部を構成することができる。
【００７７】
また、このプログラムは、請求項３以降に記載の操作側検出手段およびカウント手段として機能させるための各種手順をも、コンピュータシステムに実行させるためのプログラムとしてもよい。この場合、コンピュータシステムが、請求項３から請求項９のいずれかに記載の操作部材の一部を構成できる。
【００７８】
また、上述のプログラムは、請求項６以降に記載のカウント応答手段として機能させるための各種手順をも、コンピュータシステムに実行させるためのプログラムとしてもよい。この場合、コンピュータシステムが、請求項６から請求項９のいずれかに記載の操作部材の一部を構成できる。
【００７９】
また、上述のプログラムは、請求項７に記載の許可応答手段として機能させるための各種手順をも、コンピュータシステムに実行させるためのプログラムとしてもよい。この場合、コンピュータシステムが、請求項７から請求項９のいずれかに記載の操作部材の一部を構成できる。
【００８０】
また、請求項２３に記載のプログラムは、請求項２から請求項９のいずれかに記載のアクセス手段として機能させるための各種手順を、コンピュータシステムに実行させるためのプログラムである。このプログラムを実行するコンピュータシステムは、請求項２から請求項９のいずれかに記載の通信装置の一部を構成することができる。
【００８１】
また、このプログラムは、請求項５以降に記載の装置側検出手段として機能させるための各種手順をも、コンピュータシステムに実行させるためのプログラムとしてもよい。この場合、コンピュータシステムが、請求項５から請求項９のいずれかに記載の通信装置の一部を構成できる。
【００８２】
また、上述した請求項２３のプログラムは、請求項６以降に記載のカウント問合手段およびカウント報知手段として機能させるための各種手順をも、コンピュータシステムに実行させるためのプログラムとしてもよい。この場合、コンピュータシステムが、請求項６から請求項９のいずれかに記載の通信装置の一部を構成できる。
【００８３】
また、上述した請求項２３のプログラムは、請求項７以降に記載の許可問合手段および許可報知手段として機能させるための各種手順をも、コンピュータシステムに実行させるためのプログラムとしてもよい。この場合、コンピュータシステムが、請求項７から請求項９のいずれかに記載の通信装置の一部を構成できる。
【００８４】
また、このプログラムは、請求項９に記載の装着検出手段として機能させるための各種手順をも、コンピュータシステムに実行させるためのプログラムとしてもよい。この場合、コンピュータシステムが、請求項９に記載の通信装置の一部を構成できる。
【００８５】
また、請求項２４に記載のプログラムは、請求項１０から請求項１５のいずれかに記載のアクセス手段および伝送手段として機能させるための各種手順を、コンピュータシステムに実行させるためのプログラムである。このプログラムを実行するコンピュータシステムは、請求項１０から請求項１５のいずれかに記載の通信装置の一部を構成することができる。
【００８６】
また、このプログラムは、請求項１０以降に記載の装置側検出手段、読出手段および書換手段として機能させるための各種手順をも、コンピュータシステムに実行させるためのプログラムとしてもよい。このプログラムを実行するコンピュータシステムは、請求項１０から請求項１５のいずれかに記載の通信装置の一部を構成することができる。
【００８７】
また、このプログラムは、請求項１４以降に記載の未読出報知手段として機能させるための各種手順をも、コンピュータシステムに実行させるためのプログラムとしてもよい。このプログラムを実行するコンピュータシステムは、請求項１４または請求項１５に記載の通信装置の一部を構成することができる。
【００８８】
また、上述のプログラムは、請求項１５に記載の回数報知手段として機能させるための各種手順をも、コンピュータシステムに実行させるためのプログラムとしてもよい。このプログラムを実行するコンピュータシステムは、請求項１５に記載の通信装置の一部を構成することができる。
【００８９】
また、請求項２３，請求項２４に記載のプログラムは、請求項１６に記載の印刷指令手段，請求項１７に記載の表示指令手段として機能させるための各種手順をも、コンピュータシステムに実行させるためのプログラムとしてもよい。このプログラムを実行するコンピュータシステムは、請求項２３，請求項２４に記載の通信装置の一部を構成することができる。
【００９０】
なお、上述した各プログラムは、それぞれコンピュータシステムによる処理に適した命令の順番付けられた列からなるものであって、例えば、ＦＤ、ＣＤ−ＲＯＭ、メモリーカードなどの記録媒体、インターネットなどの通信回線網を介して、操作部材自身、通信装置、コンピュータシステム、または、これらを利用する利用者に提供されるものである。また、これらのプログラムを実行するコンピュータシステムとしては、例えば、操作部材に内蔵されたコンピュータシステム、通信装置に内蔵されたコンピュータシステム、操作部材や通信装置に無線または有線の通信路を介してデータ通信可能に接続されたコンピュータシステムなどを利用することができる。
【００９１】
【発明の実施の形態】
次に本発明の実施の形態について例を挙げて説明する。
［第１実施形態］
複合機１は、電話回線網１００を介して音声通話を実現する機能、電話回線網１００を介して画像の送受信を行う機能（ファクシミリ機能）の他、インターネット２００経由でアクセス可能なウェブページを用紙に印刷する機能（以降、ウェブプリント機能）などを有する装置である。
【００９２】
この複合機１は、図１に示すように、ＣＰＵ１２、ＲＯＭ１４、ＲＡＭ１６、ハンドセット２０、スキャナ部３２、モデム３４、プリンタ部３６、ＰＣインターフェース部（以降、ＰＣＩ／Ｆとする）３８、ユーザインターフェース部（以降、ユーザＩ／Ｆとする）４０、通信制御部５２、回線制御部５４、スイッチインターフェース（以降、スイッチＩ／Ｆとする）６０などがバス７０を介して接続されてなるものである。
【００９３】
ＣＰＵ１２は、あらかじめＲＯＭ１４に記憶されている処理手順に従い、処理結果をＲＡＭ１６に記憶させながら、複合機１の各構成要素にバス７０経由で指令を送ることによって、複合機１全体の動作を制御する。なお、ＣＰＵ１２は、ＲＯＭ１４に組み込まれている通信用ソフトによって、ウェブページへアクセスする機能を実現する。この通信用ソフトは、ＨＴＴＰ（Ｈｙｐｅｒ  Ｔｅｘｔ  Ｔｒａｎｓｆｅｒ  Ｐｒｏｔｏｃｏｌ）に基づき、通信制御部５２経由でインターネット２００に接続されたサーバーへウェブページの送信を要求し、この要求に応じたサーバーから送信されてきたウェブページを通信制御部５２経由で受信することによって、ウェブページへアクセスする手順を示すプログラムである。
【００９４】
ハンドセット２０は、図２に示すように、複合機１における本体ケース８１の側面に配設され、複合機１本体から取り外した状態で使用する送受話器である。
スキャナ部３２は、ＣＰＵ１２からの指令を受けて、本体ケース８１の前面に配設された読取用トレイ８２にセットされた用紙から画像の読み取り行うと共に、この画像のイメージデータを生成する。
【００９５】
モデム３４は、ＣＰＵ１２からの指令を受けて、スキャナ部３２で生成されたイメージデータを変調して電話回線網１００で伝送可能な画像信号を生成したり、電話回線網１００から回線制御部５４を介して入力された画像信号を復調してイメージデータを生成したりする。
【００９６】
プリンタ部３６は、ＣＰＵ１２からの指令を受けて、本体ケース８１の後面に配設された給紙トレイ８３にされた用紙へのイメージデータに基づく画像の印刷（印字）を行う。
ユーザＩ／Ｆ４０は、本体ケース８１の上面に配設されており、文字，数字および記号を入力可能な複数の文字キーなどからなる操作パネル４２、各種情報を表示する表示パネル４４、スピーカおよびスピーカを駆動する駆動回路からなるスピーカ部４６などで構成される。
【００９７】
ＰＣＩ／Ｆ３８は、複合機１を通信ケーブル経由で別のコンピュータシステムと接続するためのインターフェースであって、これによって、複合機１−コンピュータシステム間におけるデータ通信を可能な状態とすることができる。
通信制御部５２は、ＣＰＵ１２の指令を受けて、インターネット２００経由からパケット単位のデータを入力すると共に、インターネット２００へ複合機１内部で生成されたパケット単位のデータを出力する。
【００９８】
回線制御部５４は、電話回線網１００からの各種信号の入力および電話回線網１００への信号の出力を行うと共に、ＣＰＵ１２の指令を受けて、電話回線網１００との間で入出力する信号の伝送先および伝送元となる伝送経路を設定する。この「伝送先および伝送元となる伝送経路」は、ハンドセット２０を複合機１本体から取り外す操作（オフフック操作）が行われた際に、回線制御部５４からハンドセット２０へ向かう経路が上述の伝送経路として設定され、この経路を音声信号が伝送可能な状態となる。こうして設定された伝送経路は、ハンドセット２０を複合機１本体に戻す操作（オンフック操作）が行われた際に解除され、この経路を音声信号が伝送されない状態となる。また、操作パネル４２により画像を送信（ＦＡＸ送信）するための操作が行われた際、または、電話回線網１００から画像信号を受信した際に、モデム３４へ向かう経路が上述の伝送経路として設定され、この経路を画像信号が伝送可能な状態となる。この設定された伝送経路はモデム３４による画像信号の出力が終了した際、または、電話回線網１００からの画像信号の入力が終了した際に解除され、この経路を画像信号が伝送されない状態となる。
【００９９】
スイッチＩ／Ｆ６０は、ユーザＩ／Ｆ４０と共に本体ケース８１の上面に配設され、後述のスイッチ装置９０が装着されるものである。このスイッチＩ／Ｆ６０は、図３に示すように、それぞれが後述するスイッチ装置９０を、本体ケース８１の上面に形成された開口８４を通して装着可能なインターフェース部６４、インターフェース部６４が固定された基板６６などにより構成される。これらのうち、インターフェース部６４は、スイッチ装置９０を固定する固定部６４ａと、モーメンタリ型のスイッチ機構６４ｂとからなる。
【０１００】
また、インターフェース部６４および基板６６には、スイッチＩ／Ｆ６０にスイッチ装置９０が装着された状態で閉結する第１閉結回路が形成されており、この第１閉結回路が閉結された際、インターフェース部６４を識別するための識別信号と共に、スイッチ装置９０が取り付けられた旨を示す取付通知信号が、基板６６からバス７０を介してＣＰＵ１２へ出力される。こうして、第１閉結回路が閉結した後、スイッチＩ／Ｆ６０にスイッチ装置９０が装着されている間は、スイッチ装置９０とＣＰＵ１２とが、第１閉結回路およびバス７０を介して通信可能な状態となる。
【０１０１】
さらに、インターフェース部６４および基板６６には、スイッチＩ／Ｆ６０にスイッチ装置９０が装着された状態でスイッチ装置９０が押下（図３における矢印の方向）されることで閉結する第２閉結回路が形成されており、この第２閉結回路が閉結された際、上述の識別信号と共に、スイッチ装置９０が押下されたことを示す押下通知信号が、基板６６からバス７０を介してＣＰＵ１２へ出力される。こうして、第２閉結回路が閉結した後、スイッチ装置９０が押下されている間は、スイッチ装置９０とＣＰＵ１２とが、第２閉結回路およびバス７０を介してデータ通信可能な状態となる。
【０１０２】
また、スイッチ装置９０は、上述のように複合機１のスイッチＩ／Ｆ６０に装着された状態でスイッチとして押下可能となるものであって、例えば、雑誌など複合機１とは別の商品に添付されたり、スイッチ装置９０単体で販売されることによって複合機１の利用者に提供されるものである。
【０１０３】
このスイッチ装置９０は、図４に示すように、ＣＰＵ９１、ＲＯＭ９２、ＲＡＭ９３、インターフェース部（Ｉ／Ｆ）９４などがバス９５を介して接続されてなるものである。これらのうち、ＣＰＵ９１は、あらかじめＲＯＭ９２に記憶されている処理手順に従い、処理結果をＲＡＭ９３に記憶させながら、スイッチ装置９０の各構成要素にバス９５経由で指令を送ることによって、スイッチ装置９０全体の動作を制御する。また、ＲＯＭ９２には、ＣＰＵ９１による処理手順の他に、後述するアクセスデータ出力処理（図５）において利用されるアクセスデータ、同処理において参照される許可回数データが記録されている。アクセスデータは、インターネット２００を介してウェブページへアクセスするためのデータであって、ウェブページのＵＲＬ（Ｕｎｉｆｏｒｍ  Ｒｅｓｏｕｒｃｅ  Ｌｏｃａｔｏｒ）を示すデータである。また、許可回数データは、アクセスデータによるウェブページへのアクセスを許可すべき回数ｐを示すデータである。なお、許可回数データは、アクセスデータによるウェブページへのアクセスを回数無制限で許可すべき場合、負の値を示すデータとすることになっている。
【０１０４】
なお、このスイッチ装置９０は、スイッチＩ／Ｆ６０に装着された状態において利用者が視認可能な領域に、ＲＯＭ９２に記録されたアクセスデータでアクセス可能なウェブページの名称が刻印された表示領域Ａが形成されている。
○スイッチ装置９０のＣＰＵ９１によるアクセスデータ出力処理
以下に、スイッチ装置９０の備えるＣＰＵ９１により実行されるアクセスデータ出力処理の処理手順を図５に基づいて説明する。このアクセスデータ出力処理は、インターフェース部９４を介して外部（複合機１）から信号が入力された際に開始される。
【０１０５】
まず、外部から入力された信号をチェックする（ｓ１１０）。
このｓ１１０の処理で、外部から入力された信号がアクセスデータを要求する旨のアクセスデータ要求信号である場合（ｓ１１０：ＹＥＳ）、アクセスデータによるウェブページへのアクセスを許可すべき残り回数が「０」であるか否かをチェックする（ｓ１２０）。この処理では、変数Ｅの値「ｅ」をチェックすることにより、アクセスを許可すべき残り回数をチェックする。この変数Ｅは、許可回数データで示される値「ｐ」が初期値としてセットされており、以降の処理（ｓ１４０の処理）でアクセスデータを出力する毎にその値が減算される変数である。そのため、この変数Ｅにセットされた値「ｅ」をチェックすれば、アクセスを許可すべき残り回数をチェックできる。なお、上述のアクセスデータ要求信号は、後述するアクセス管理処理（図６）において複合機１から出力されてくる信号である。
【０１０６】
このｓ１２０の処理で、アクセスを許可すべき残り回数が「０」であれば（ｓ１２０：ＹＥＳ）、本アクセスデータ出力処理を終了する。このように、アクセスを許可すべき残り回数が「０」の場合、アクセスデータが外部（複合機１）へ出力されることなく、本アクセスデータ出力処理が終了する。
【０１０７】
一方、ｓ１２０の処理で、アクセスを許可すべき残り回数が「０」でなければ（ｓ１２０：ＮＯ）、アクセスが回数無制限で許可されているか否かをチェックする（ｓ１３０）。上述のように、アクセスデータによるウェブページへのアクセスを回数無制限で許可すべき場合、許可回数データは負の値を示すデータになっているため、変数Ｅの値「ｅ」についても初期値として負の値がセットされていることになる。そのため、このｓ１３０の処理では、変数Ｅの値「ｅ」が正の値でなければ（ｅ＜０）アクセスが回数無制限で許可されていると判定し、正の値であれば（０＜ｅ）アクセスの回数が制限されていると判定する。
【０１０８】
このｓ１３０の処理で、アクセスの回数が制限されていれば（ｓ１３０：ＮＯ）、変数Ｅから「１」を減算（ｅ−１→Ｅ）する（ｓ１４０）。こうして、このｓ１４０の処理が行われる毎に、アクセスを許可すべき残り回数が初期値ｐから１ずつ減算されていくことになる。
【０１０９】
そして、ｓ１４０の処理を終えた後、または、ｓ１３０の処理でアクセスが回数無制限で許可されている場合（ｓ１３０：ＹＥＳ）、ＲＯＭ９２に記録されているアクセスデータを外部（複合機１）へ出力した後（ｓ１５０）、本アクセスデータ出力処理を終了する。
【０１１０】
また、ｓ１１０の処理で、外部から入力された信号が、アクセスを許可すべき残り回数をスイッチ装置９０に問い合わせるためのカウント問合信号である場合（ｓ１１０：ＮＯ）、アクセスデータによるウェブページへのアクセスを許可すべき残り回数を通知するためのカウント応答信号を外部（複合機１）へ出力した後（ｓ１６０）、本アクセスデータ出力処理を終了する。このｓ１６０の処理では、変数Ｅの値「ｅ」を示すデータをカウント応答信号として出力する。なお、上述のカウント問合信号は、後述するアクセス管理処理（図６）において複合機１が出力する信号である。
【０１１１】
以上説明したアクセスデータ出力処理において、外部から入力された信号がアクセスデータ要求信号およびカウント問合信号以外の信号である場合には、上記以外の処理を行うことになるが、本発明の要部ではないため省略する。
○複合機１のＣＰＵ１２によるアクセス管理処理
以下に、複合機１の備えるＣＰＵ１２により実行されるアクセス管理処理の処理手順を図６に基づいて説明する。このアクセス管理処理は、スイッチＩ／Ｆ６０から信号を入力した際に開始される。
【０１１２】
まず、外部から入力された信号をチェックする（ｓ２１０）。
このｓ２１０の処理で、スイッチＩ／Ｆ６０から入力された信号が取付通知信号である場合（ｓ２１０：ＹＥＳ）、アクセスデータによるウェブページへのアクセスを許可すべき残り回数を問い合わせるためのカウント問合信号をスイッチ装置９０に出力する（ｓ２２０）。この処理では、スイッチＩ／Ｆ６０の備える複数のインターフェース部６４のうち、取付通知信号と共に入力された識別信号で識別されるインターフェース部６４に、カウント問合信号を出力する。なお、このカウント問合信号は、スイッチ装置９０に上述のアクセスデータ出力処理（図５）を実行させる契機となる信号であって、この信号を入力したスイッチ装置９０からは、残り回数を示すカウント応答信号が出力されてくる（ｓ１６０の処理）。
【０１１３】
次に、スイッチ装置９０からスイッチＩ／Ｆ６０を介してカウント応答信号を入力する（ｓ２３０）。
そして、ｓ２３０の処理で入力したカウント応答信号で示される残り回数を報知する（ｓ２４０）。この処理では、カウント応答信号で示される残り回数を、所定の期間（本実施形態においては、２秒間）だけユーザＩ／Ｆ４０の表示パネル４４に表示させることにより報知を行う。
【０１１４】
また、ｓ２１０の処理で、スイッチＩ／Ｆ６０から入力された信号が押下通知信号である場合（ｓ２１０：ＮＯ）、アクセスデータを要求するためのアクセスデータ要求信号をスイッチ装置９０に出力する（ｓ２５０）。この処理では、スイッチＩ／Ｆ６０の備える複数のインターフェース部６４のうち、押下通知信号と共に入力される識別信号で識別されるインターフェース部６４に、アクセスデータ要求信号を出力する。また、このｓ２５０の処理では、アクセスデータ要求信号の出力と共に、タイマーによるカウントをスタートさせる。なお、このアクセスデータ要求信号は、スイッチ装置９０に上述のアクセスデータ出力処理（図５）を実行させる契機となる信号であって、この信号を入力したスイッチ装置９０からは、アクセスを許可すべき回数が残っていれば、アクセスデータが出力されてくる（ｓ１５０の処理）。
【０１１５】
次に、スイッチ装置９０からスイッチＩ／Ｆ６０を介してアクセスデータを入力したかどうかをチェックする（ｓ２６０）。
このｓ２６０の処理で、アクセスデータを入力していなければ（ｓ２６０：ＮＯ）、アクセスデータ要求信号に対してタイムアウトになったかどうかをチェックする（ｓ２７０）。この処理では、ｓ２５０の処理でカウントが開始されたタイマーのカウント値が所定の値（本実施形態においては、２秒）を超えた場合に、タイムアウト（つまり、時間切れ）であると判定する。
【０１１６】
このｓ２７０の処理で、タイムアウトになっていなければ（ｓ２７０：ＮＯ）、ｓ２６０の処理へ戻る。
一方、ｓ２７０の処理で、タイムアウトになっていれば（ｓ２７０：ＹＥＳ）、スイッチ装置９０からアクセスデータを入力できなかった旨を報知した後（ｓ２８０）、本アクセス管理処理を終了する。このｓ２８０の処理では、アクセスデータを入力できなかった旨のメッセージを、所定の期間（本実施形態においては、２秒間）だけユーザＩ／Ｆ４０の表示パネル４４に表示させることにより報知を行う。また、図５におけるｓ１２０の処理において説明したように、本実施形態においてアクセスデータ要求信号を出力した後でタイムアウトとなることは、アクセスを許可すべき残り回数が「０」となっている状態であるため、このｓ２８０の処理では、アクセスを許可すべき残り回数が「０」である旨についても、この旨のメッセージを所定期間だけ表示パネル４４に表示させることにより報知を行う。
【０１１７】
また、ｓ２６０の処理で、アクセスデータを入力していれば（ｓ２６０：ＹＥＳ）、このアクセスデータに基づいてウェブページへアクセスする（ｓ２９０）。
次に、ｓ２９０の処理でアクセスされたウェブページの画像をプリンタ部３６により用紙へ印刷させる（ｓ３００）。こうして、複合機１の利用者は、用紙に印刷されたウェブページを閲覧することができる。
【０１１８】
次に、カウント問合信号をスイッチ装置９０に出力する（ｓ３１０）。この処理は、ｓ２２０の処理と同様の処理である。
次に、スイッチ装置９０からスイッチＩ／Ｆ６０を介してカウント応答信号を入力する（ｓ３２０）。
【０１１９】
そして、ｓ３２０の処理で入力したカウント応答信号で示される残り回数を報知した後（ｓ３３０）、本アクセス管理処理を終了する。このｓ３３０の処理は、ｓ２４０の処理と同様の処理である。
以上説明したアクセス管理処理において、外部から入力された信号が取付通知信号および押下通知信号以外の信号である場合には、上記以外の処理を行うことになるが、本発明の要部ではないため省略する。
【０１２０】
［第１実施形態の効果］
このように構成された複合機１によれば、スイッチ装置９０がスイッチＩ／Ｆ６０に装着された状態で押下されたことを契機にウェブページへのアクセスが行われる（図６におけるｓ２５０からｓ２９０の処理）。そのため、このウェブページへ再びアクセスするには、再びスイッチ装置９０を押下するだけでよく、スイッチ装置９０そのものをスイッチＩ／Ｆ６０に装着し直す必要はない。よって、このスイッチ装置９０のＲＯＭ９２に記録されたアクセスデータのウェブページを再度閲覧するまでの間に、スイッチ装置９０を紛失したり、ＲＯＭ９２に他のウェブページのアクセスデータが記録されたスイッチ装置９０を間違えて装着してしまうといったことが起こり得ない。このことから、特定のウェブページを繰り返し閲覧するといった用途に使用するのに好適である。
【０１２１】
また、スイッチ装置９０は、ＲＯＭ９２に記録されている許可回数データを負の値を示すデータとしておくことによって、スイッチ装置９０がユーザＩ／Ｆ６０に装着された状態で押下された際、無条件でアクセスデータを外部（複合機１）へ出力することができる。
【０１２２】
また、スイッチ装置９０は、スイッチ装置９０自身が押下された際、スイッチ装置９０を押下してウェブページへアクセスした回数が許可回数データで示される回数ｐに到達していない場合のみ（図５におけるｓ１５０の処理）、アクセスデータを出力して複合機１にウェブページへアクセスさせることができる。これによって、複合機１およびスイッチ装置９０を利用してウェブページを閲覧する回数を、許可回数データにより制限することができる。
【０１２３】
また、図６におけるｓ２７０の処理では、アクセスデータ要求信号に対してタイムアウトとなったこと、つまり、アクセスデータが入力されないことを検出し、ｓ２８０の処理で、アクセスデータを入力できなかった旨、および、アクセスを許可すべき残り回数が「０」である旨を報知することができる。よって、利用者は、この報知によりアクセスを許可すべき残り回数が「０」である旨を確認できるため、スイッチ装置９０を押下したにも拘わらず、スイッチ装置９０を押下していない、または、複合機１およびスイッチ装置９０に何らかのトラブルが発生したと誤認してしまう恐れがない。
【０１２４】
また、図６におけるｓ２４０，ｓ３３０の処理では、カウント問合信号を入力したスイッチ装置９０から出力されてくるカウント応答信号に基づいて、このカウント応答信号で示される回数、つまり、ウェブページへのアクセスが許可されている残り回数を報知することができる。これによって、利用者は、ウェブページへアクセス可能な残り回数（ウェブページを閲覧できる残り回数）を確認することができる。
【０１２５】
また、図６におけるｓ２２０の処理では、スイッチＩ／Ｆ６０にスイッチ装置９０が装着されたタイミングでカウント問合信号が出力され、ｓ３１０の処理では、スイッチ装置９０が押下されたタイミングでカウント問合信号が出力される。そのため、利用者は、このタイミングでウェブページへアクセス可能な残り回数を確認することができる。
【０１２６】
また、スイッチＩ／Ｆ６０にスイッチ装置９０を操作するためのスイッチ機構６４ｂが備えられているため、スイッチ装置９０が複合機１に装着されていなければ、スイッチ装置９０を操作することができない。これによって、スイッチ装置９０がスイッチＩ／Ｆ６０に装着されていない状態で各種データがスイッチ装置９０とＣＰＵ１２との間で入出力されてしまうことを防止できる。
また、図６におけるｓ３００の処理では、ｓ２９０の処理でアクセスされたウェブページを用紙に印刷させることができる。そのため、利用者は、ｓ２９０の処理でアクセスされたウェブページを用紙により閲覧することができる。
また、上述のスイッチ装置９０によれば、表示領域Ａにウェブページの名称が刻印されているため、利用者は、スイッチ装置９０がスイッチＩ／Ｆ６０に装着された状態においてウェブページの名称を確認したうえで間違いなくスイッチ装置９０を操作することができる。
［第２実施形態］
複合機２は、第１実施形態における複合機１と同様の構成であって、一部処理内容が異なっているだけであるため、この相違点についてのみ詳述する。
○スイッチ装置９０のＣＰＵ９１によるアクセスデータ出力処理
以下に、スイッチ装置９０の備えるＣＰＵ９１により実行されるアクセスデータ出力処理を説明する。このアクセスデータ出力処理は、図５におけるｓ１２０，ｓ１４０，ｓ１６０の処理を、後述のｓ１２２，ｓ１４２，ｓ１６２の処理に読み替えたものであって、これらの処理についてのみ詳述する。
【０１２７】
まず、外部から入力された信号をチェックする（ｓ１１０）。
このｓ１１０の処理で、外部から入力された信号がアクセスデータを要求する旨のアクセスデータ要求信号である場合（ｓ１１０：ＹＥＳ）、アクセスデータによるウェブページへのアクセスを許可すべきか否かをチェックする（ｓ１２２）。この処理では、許可回数データで示される値「ｐ」と変数Ｅの値「ｅ」とをチェックすることにより、アクセスを許可すべきか否かをチェックする。変数Ｅは、「０」が初期値としてセットされ、以降の処理（ｓ１４２の処理）でアクセスデータを出力する毎にその値が加算されていく変数であり、この変数Ｅにセットされた値「ｅ」が値「ｐ」に到達していなければ（ｅ＜ｐ）アクセスを許可すべきであると判定し、到達していれば（ｐ≦ｅ）アクセスを許可すべきでないと判定する。
【０１２８】
このｓ１２２の処理で、アクセスを許可すべきでなければ（ｓ１２２：ＹＥＳ）、本アクセスデータ出力処理を終了する。
一方、ｓ１２２の処理で、アクセスを許可すべきであれば（ｓ１２２：ＮＯ）、アクセスが回数無制限で許可されているか否かをチェックする（ｓ１３０）。
【０１２９】
このｓ１３０の処理で、アクセスの回数が制限されていれば（ｓ１３０：ＮＯ）、変数Ｅに「１」を加算（ｅ＋１→Ｅ）する（ｓ１４２）。こうして、このｓ１４２の処理が行われる毎に、アクセスを許可した回数が初期値「０」から１ずつ加算されていくことになる。
【０１３０】
そして、ｓ１４２の処理を終えた後、または、ｓ１３０の処理でアクセスが回数無制限で許可されている場合（ｓ１３０：ＹＥＳ）、ＲＯＭ９２に記録されているアクセスデータを外部（複合機２）へ出力した後（ｓ１５０）、本アクセスデータ出力処理を終了する。
【０１３１】
また、ｓ１１０の処理で、外部から入力された信号がカウント問合信号である場合（ｓ１１０：ＮＯ）、カウント応答信号を外部（複合機２）へ出力した後（ｓ１６２）、本アクセスデータ出力処理を終了する。このｓ１６２の処理では、変数Ｅの値「ｅ」を示すデータを第１カウント応答信号とし、許可回数データで示される値「ｐ」を示すデータを第２カウント応答信号として出力する。
○複合機２のＣＰＵ１２によるアクセス管理処理
以下に、複合機２の備えるＣＰＵ１２により実行されるアクセス管理処理を説明する。このアクセスデータ出力処理は、図６におけるｓ２２０，ｓ２４０，ｓ２８０，ｓ３１０，ｓ３２０の処理を、後述のｓ２２２，ｓ２４２，ｓ２８２，ｓ３１２，ｓ３２２の処理に読み替えたものであって、これらの処理についてのみ詳述する。
【０１３２】
まず、外部から入力された信号をチェックする（ｓ２１０）。
このｓ２１０の処理で、スイッチＩ／Ｆ６０から入力された信号が取付通知信号である場合（ｓ２１０：ＹＥＳ）、カウント問合信号をスイッチ装置９０に出力する（ｓ２２２）。なお、このカウント問合信号を入力したスイッチ装置９０からは、ウェブページのアクセス回数（変数Ｅの値「ｅ」）を示す第１カウント応答信号と、ウェブページのアクセスを許可すべき最大回数（許可回数データで示される値「ｐ」）を示す第２カウント応答信号とが出力されてくる（ｓ１６２の処理）。
【０１３３】
次に、スイッチ装置９０からスイッチＩ／Ｆ６０を介してカウント応答信号を入力する（ｓ２３０）。
そして、ｓ２３０の処理で入力したカウント応答信号で示される回数を報知する（ｓ２４２）。この処理では、第１カウント応答信号で示されるウェブページのアクセス回数と、第２カウント応答信号で示されるウェブページのアクセスを許可すべき最大回数とを、所定の期間だけユーザＩ／Ｆ４０の表示パネル４４に表示させることにより報知を行う。
【０１３４】
また、ｓ２１０の処理で、スイッチＩ／Ｆ６０から入力された信号が押下通知信号である場合（ｓ２１０：ＮＯ）、アクセスデータ要求信号をスイッチ装置９０に出力する（ｓ２５０）。
次に、スイッチ装置９０からスイッチＩ／Ｆ６０を介してアクセスデータを入力したかどうかをチェックする（ｓ２６０）。
【０１３５】
このｓ２６０の処理で、アクセスデータを入力していなければ（ｓ２６０：ＮＯ）、アクセスデータ要求信号に対してタイムアウトになったかどうかをチェックし（ｓ２７０）、タイムアウトになっていなければ（ｓ２７０：ＮＯ）、ｓ２６０の処理へ戻る。
【０１３６】
一方、ｓ２７０の処理で、タイムアウトになっていれば（ｓ２７０：ＹＥＳ）、スイッチ装置９０からアクセスデータを入力できなかった旨を報知した後（ｓ２８２）、本アクセス管理処理を終了する。このｓ２８２の処理では、アクセスデータを入力できなかった旨のメッセージを、所定の期間だけユーザＩ／Ｆ４０の表示パネル４４に表示させる。また、図５におけるｓ１２２の処理において説明したように、本実施形態においてアクセスデータ要求信号を出力した後でタイムアウトとなることは、アクセスを許可すべきでないと判定された状態であるため、このｓ２８２の処理では、この旨のメッセージをも所定期間だけ表示パネル４４に表示させることにより報知を行う。
【０１３７】
なお、以降、ｓ２９０，ｓ３００の処理は、図６におけるアクセス管理処理と同様であり、ｓ３１２からｓ３３２の処理は、ｓ２２２からｓ２４２の処理と同様の処理であるため省略する。
［第２実施形態の効果］
このように構成された複合機２によれば、第１実施形態における複合機１により得られる作用・効果のうち、複合機１にのみ備えられた構成から得られる作用・効果以外の作用・効果を得ることができる。
【０１３８】
特に、図６におけるｓ２４２，ｓ３３２の処理では、カウント問合信号を入力したスイッチ装置９０から出力されてくるカウント応答信号に基づいて、このカウント応答信号で示される回数、つまり、ウェブページのアクセス回数と、ウェブページのアクセスを許可すべき最大回数とを報知することができる。これによって、利用者は、ウェブページのアクセス回数（ウェブページを閲覧した回数）と、ウェブページにアクセスできる最大回数とを確認することができる。
【０１３９】
また、図６におけるｓ２２２の処理では、スイッチＩ／Ｆ６０にスイッチ装置９０が装着されたタイミングでカウント問合信号が出力され、ｓ３１２の処理では、スイッチ装置９０が押下されたタイミングでカウント問合信号が出力される。そのため、利用者は、このタイミングでウェブページのアクセス回数と、ウェブページにアクセスできる最大回数とを確認することができる。
【０１４０】
［第３実施形態］
複合機３は、第１実施形態における複合機１と同様の構成であり、一部構成および処理手順が異なっているだけであるため、これら相違点についてのみ詳述することとする。
【０１４１】
スイッチ装置９０におけるＲＯＭ９２には、ＣＰＵ９１による処理手順の他に、後述するアクセスデータ出力処理（図７）において利用される第１，第２アクセスデータ、同処理において参照される許可回数データが、それぞれ異なる記録領域に記録されている。この第２アクセスデータのウェブページは、例えば、残り回数が「０」になった旨の通知や新たなスイッチ装置９０の入手（購入）を促す旨のメッセージが記載されたページや、残り回数を「０」を増やすための入力操作を利用者に行わせるためのページなどである。
○スイッチ装置９０のＣＰＵ９１によるアクセスデータ出力処理
以下に、スイッチ装置９０の備えるＣＰＵ９１により実行されるアクセスデータ出力処理の処理手順を図７に基づいて説明する。このアクセスデータ出力処理は、図５におけるアクセスデータ出力処理を、ｓ１２０の処理で残り回数が「０」である場合に実行する処理（ｓ１７０の処理）が追加されたものとしたこと、ｓ１５０の処理の替わりにｓ１５２の処理を行うように構成された処理であるため、これらの処理についてのみ詳述する。
【０１４２】
まず、ｓ１２０の処理で、アクセスを許可すべき残り回数が「０」であれば（ｓ１２０：ＹＥＳ）、ＲＯＭ９２に記録されている第２アクセスデータを外部（複合機３）へ出力した後（ｓ１７０）、本アクセスデータ出力処理を終了する。このように、アクセスを許可すべき残り回数が「０」の場合、第１アクセスデータではなく、第２アクセスデータが外部（複合機３）へ出力される。このように、本実施形態においては、残り回数が「０」であるにも拘わらず、アクセスデータが出力されることになるため、複合機３のＣＰＵ１２は、図６におけるｓ２８０の処理でアクセスデータを入力できなかった旨のみを報知することとする。
【０１４３】
そして、ｓ１４０の処理を終えた後、または、ｓ１３０の処理でアクセスが回数無制限で許可されている場合（ｓ１３０：ＹＥＳ）、ＲＯＭ９２に記録されている第１アクセスデータを外部（複合機３）へ出力した後（ｓ１５２）、本アクセスデータ出力処理を終了する。
【０１４４】
［第３実施形態の効果］
このように構成された複合機３によれば、第１実施形態における複合機１により得られる作用・効果のうち、複合機１にのみ備えられた構成から得られる作用・効果以外の作用・効果を得ることができる。
【０１４５】
また、スイッチ装置９０は、図５におけるｓ１２０の処理で残り回数が「０」である場合に、第２アクセスデータを外部（複合機３）に出力し、ＣＰＵ１２に第２アクセスデータのウェブページへアクセスさせることができる。これによって、残り回数が「０」である場合には、残り回数が「０」でない場合とは異なるウェブページを利用者に閲覧させることができる。
【０１４６】
［第４実施形態］
複合機４は、第１実施形態における複合機１と同様の構成であり、一部構成および処理手順が異なっているだけであるため、これら相違点についてのみ詳述することとする。
【０１４７】
スイッチ装置９０は、第１実施形態とは異なり、ＣＰＵ９１が備えられておらず、ＲＯＭ９２、ＲＡＭ９３などがバス９５を介して接続されただけのものである。また、ＲＡＭ９３には、後述するアクセス管理処理（図８）において複合機４によりアクセスデータが読み出された回数ｒを示す読出回数データが記録されている。なお、この読出回数データは、初期値として「０」を示すデータとなっている。
○複合機４のＣＰＵ１２によるアクセス管理処理
以下に、複合機４の備えるＣＰＵ１２により実行されるアクセス管理処理の処理手順を図８に基づいて説明する。このアクセス管理処理は、スイッチＩ／Ｆ６０から信号を入力した際に開始される。
【０１４８】
まず、外部から入力された信号をチェックする（ｓ４１０）。
このｓ４１０の処理で、スイッチＩ／Ｆ６０から入力された信号が取付通知信号である場合（ｓ４１０：ＹＥＳ）、スイッチ装置９０から許可回数データおよび読出回数データを読み出す（ｓ４２０）。この処理では、スイッチＩ／Ｆ６０の備える複数のインターフェース部６４のうち、取付通知信号と共に入力されている識別信号で識別されるインターフェース部６４に取り付けられているスイッチ装置９０から各データが読み出される。
【０１４９】
そして、ｓ４２０の処理で読み出された各データで示される回数を報知する（ｓ４３０）。この処理では、許可回数データで示される値をアクセスデータによるウェブページへのアクセスが許可された最大回数とし、読出回数データで示される値をアクセスデータにより実際にウェブページへアクセスした回数として、これらの回数を、所定の期間だけユーザＩ／Ｆ６０の表示パネル４４に表示させることにより報知を行う。
【０１５０】
また、ｓ４１０の処理で、スイッチＩ／Ｆ６０から入力された信号が押下通知信号である場合（ｓ４１０：ＮＯ）、スイッチ装置９０から許可回数データおよび読出回数データを読み出す（ｓ４４０）。この処理は、ｓ４２０の処理と同様の処理である。
【０１５１】
次に、アクセスが回数無制限で許可されているか否かをチェックする（ｓ４５０）。上述のように、アクセスデータによるウェブページへのアクセスを回数無制限で許可すべき場合、許可回数データは負の値を示すデータになっている。そのため、このｓ４５０の処理では、許可回数データで示される値ｐが負の値であれば（ｐ＜０）アクセスが回数無制限で許可されていると判定し、正の値であれば（０＜ｐ）アクセスの回数が制限されていると判定する。
【０１５２】
このｓ４５０の処理で、アクセスの回数が制限されていれば（ｓ４５０：ＮＯ）、ｓ４４０の処理で読み出された各データに基づいて、スイッチ装置９０からアクセスデータを読み出し可能かどうかをチェックする（ｓ４６０）。この処理では、許可回数データで示される回数ｐと読出回数データで示される回数ｒとの差が正の値（０＜ｐ−ｒ）であれば、アクセスデータを読み出し可能であると判定し、０以下の値（ｐ−ｒ≦０）であれば、アクセスデータを読み出し可能ではないと判定する。ここで、両回数の差が正の値である状態は、実際にウェブページへアクセスした回数が、アクセスデータによるウェブページへのアクセスが許可された最大回数に到達してない状態を示している。
【０１５３】
このｓ４６０の処理でアクセスデータを読み出し可能でなければ（ｓ４６０：ＮＯ）、実際にウェブページへアクセスした回数が許可された最大回数に到達した旨を報知した後（ｓ４７０）、本アクセス管理処理を終了する。このｓ４７０の処理では、上述のように到達した旨のメッセージを、所定の期間だけユーザＩ／Ｆ４０の表示パネル４４に表示させることにより報知を行う。
【０１５４】
また、ｓ４６０の処理でアクセスデータを読み出し可能であれば（ｓ４６０：ＹＥＳ）、スイッチ装置９０のＲＡＭ９３に記録されている読出回数データを書き換える（ｓ４８０）。この処理では、スイッチ装置９０のＲＡＭ９３に記録されている読出回数データを、ｓ４４０の処理で読み出された時点の読出回数データで示される値ｒから「１」を加算した値（ｒ＋１）を示すデータに書き換える。こうして、このｓ４８０の処理が行われる毎に、以降の処理（ｓ４９０の処理）でウェブページへアクセスする回数が初期値０から１ずつ加算されていくことになる。
【０１５５】
こうして、ｓ４８０の処理を終えた後、または、ｓ４５０の処理でアクセスの回数が無制限に許可されている場合（ｓ４５０：ＹＥＳ）、スイッチ装置９０のＲＯＭ９２からアクセスデータを読み出す（ｓ４９０）。
次に、ｓ４９０の処理で読み出されたアクセスデータに基づいてウェブページへアクセスする（ｓ５００）。
【０１５６】
次に、ｓ５００の処理でアクセスされたウェブページの画像をプリンタ部３６により用紙へ印刷させる（ｓ５１０）。
次に、スイッチ装置９０から許可回数データおよび読出回数データを読み出す（ｓ５２０）。この処理は、ｓ４２０，ｓ４４０の処理と同様の処理である。
【０１５７】
そして、ｓ５２０の処理で読み出された各データで示される回数を報知した後（ｓ５３０）、本アクセス管理処理を終了する。このｓ５３０の処理は、ｓ４３０の処理と同様の処理である。
［第４実施形態の効果］
このように構成された複合機４によれば、第１実施形態におけるスイッチ装置９０により実現されていた機能を、複合機４において実現することができる。
【０１５８】
［第５実施形態］
複合機５は、第１実施形態における複合機１と同様の構成であり、一部構成および処理手順が異なっているだけであるため、これら相違点についてのみ詳述する。
【０１５９】
スイッチ装置９０は、第１実施形態とは異なり、ＣＰＵ９１が備えられておらず、ＲＯＭ９２、ＲＡＭ９３などがバス９５を介して接続されてなるものである。
これらのうち、ＲＯＭ９２には、ＣＰＵ９１による処理手順の他に、後述するアクセス管理処理（図９）において利用される第１，第２アクセスデータ、同処理において参照される許可回数データが、それぞれ異なる記録領域に記録されている。
【０１６０】
また、ＲＡＭ９３には、後述するアクセス管理処理（図９）において複合機５によりアクセスデータが読み出された回数ｒを示す読出回数データが記録されている。この読出回数データは、初期値として「０」を示すデータとなっている。
○複合機５のＣＰＵ１２によるアクセス管理処理
以下に、複合機５の備えるＣＰＵ１２により実行されるアクセス管理処理の処理手順を図９に基づいて説明する。このアクセス管理処理は、図８におけるアクセスデータ出力処理のうち、ｓ４６０からｓ５００の処理までの処理の代わりに以下に示すような処理を行うように構成されたものであるため、これらの処理についてのみ詳述する。
【０１６１】
まず、ｓ４６０の処理で、スイッチ装置９０から第１アクセスデータを読み出し可能かどうかをチェックする（ｓ４６２）。この処理では、許可回数データで示される回数ｐと読出回数データで示される回数ｒとの差が正の値であれば（０＜ｐ−ｒ）第１アクセスデータを読み出し可能であると判定し、正の値でなければ（ｐ−ｒ≦０）第１アクセスデータを読み出し可能ではないと判定する。
【０１６２】
このｓ４６２の処理で第１アクセスデータを読み出し可能でなければ（ｓ４６２：ＮＯ）、スイッチ装置９０のＲＯＭ９２から第２アクセスデータを読み出す（ｓ４７２）。この処理では、ＲＯＭ９２のうち、第２アクセスデータ用の記録領域から第２アクセスデータが読み出される。
【０１６３】
一方、ｓ４６２の処理で第１アクセスデータを読み出し可能であれば（ｓ４６２：ＹＥＳ）、スイッチ装置９０のＲＡＭ９３に記録されている読出回数データを書き換える（ｓ４８０）。
こうして、ｓ４８０の処理を終えた後、または、ｓ４５０の処理でアクセスの回数が無制限に許可されている場合（ｓ４５０：ＹＥＳ）、スイッチ装置９０のＲＯＭ９２から第１アクセスデータを読み出す（ｓ４９２）。この処理では、ＲＯＭ９２のうち、第１アクセスデータ用の記録領域から第１アクセスデータが読み出される。
【０１６４】
このｓ４９２の処理で第１アクセスデータが読み出された後、または、ｓ４７２の処理で第２アクセスデータが読み出された後、この読み出されたアクセスデータに基づいてウェブページへアクセスする（ｓ５０２）。
［第５実施形態の効果］
このように構成された複合機５によれば、第１実施形態におけるスイッチ装置９０により実現されていた機能を、複合機５において実現することができる。
【０１６５】
［変形例］
以上、本発明の実施形態について説明したが、本発明は上記の具体的な実施形態に限定されず、このほかにも様々な形態で実施することができる。
例えば、上記実施形態においては、複合機に本発明の通信システムとしての構成を適用したものを例示した。しかし、本発明の通信システムとしての構成を適用する装置は、ウェブページへアクセスする機能を有していればよく、パーソナルコンピュータなど複合機以外の装置であってもよい。
【０１６６】
また、上記実施形態においては、本発明の通信システムが、複合機単体により構成されているものを例示した。しかし、本発明の通信システムを、複合機および複合機以外の端末装置からなる複数の装置により構成してもよく、また、複合機以外の複数の装置により構成してもよい。
【０１６７】
また、上記実施形態においては、スイッチ装置９０が複合機のスイッチＩ／Ｆ６０に装着されるように構成されたものを例示した。しかし、スイッチ装置９０を、スイッチＩ／Ｆ６０以外のインターフェース部（例えば、メモリーカードスロットなど）に装着可能に構成してもよい。
【０１６８】
また、上記実施形態においては、図５から図９の各処理が、複合機のＣＰＵ１２からなるコンピュータシステムにより実行されるように構成されたものを例示した。しかし、これらの処理の一部または全部が、複合機に有線・無線の信号伝送路で接続された別のコンピュータシステムにより実行されるように構成してもよい。
【０１６９】
また、上記実施形態においては、スイッチＩ／Ｆ６０のインターフェース部６４が、固定部６４ａおよびスイッチ機構６４ｂからなるものを例示した。しかし、このインターフェース部６４を固定部６４ａのみで構成し、スイッチ装置９０側にスイッチ機構６４ｂに相当する機構を備えてもよい。
【０１７０】
また、上記実施形態においては、図６，図８，図９の各処理が、複合機のＲＯＭ１４に記憶されている処理手順に従って実行されるように構成されたものを例示した。しかし、複合機が、ＦＤやメモリーカードなどの記録媒体との間でデータを入出力可能に構成されている場合には、上述の処理手順が記録されている記録媒体に基づいて、上記各処理が実行されるように構成してもよい。
【０１７１】
また、上記実施形態においては、複合機がインターネット２００からなるＷＡＮ（Ｗｉｄｅ  Ａｒｅａ  Ｎｅｔｗｏｒｋ  ）に接続された状態を例示したが、この複合機は、ＬＡＮ（Ｌｏｃａｌ  Ａｒｅａ  Ｎｅｔｗｏｒｋ）に接続した状態でも同様に使用することができる。
また、上記実施形態においては、スイッチ装置９０がスイッチＩ／Ｆ６０に装着された状態で押下する操作が可能となるように構成されたものを例示した。しかし、スイッチ装置９０は、スイッチＩ／Ｆ６０に装着された状態で操作可能となる構成であれば、押下以外の操作が可能な構成としてもよい。
【０１７２】
また、上記実施形態においては、スイッチＩ／Ｆ６０に、スイッチ装置９０を押下するためのスイッチ機構６４ｂが備えられた構成を例示した。しかし、スイッチ装置９０を押下するための機構は、スイッチ装置９０そのものに備えられた構成としてもよい。この場合、スイッチ装置９０がスイッチＩ／Ｆ６０に装着されることにより両者間におけるデータの伝送経路が形成されるように構成しておけば、スイッチ装置９０がスイッチＩ／Ｆ６０に装着されていない状態で操作されたとしても、各種信号がスイッチ装置９０から複合機側へ出力（読み出）されてしまうことを防止できる。また、スイッチ装置９０をスイッチＩ／Ｆ６０に装着したことによって、両者の装着部分近辺がスイッチ装置９０を押下するための機構を形成するように構成してもよい。この場合、スイッチ装置９０と複合機との間におけるデータの伝送経路が、スイッチ装置９０がスイッチＩ／Ｆ６０に装着されていない状態で形成されていたとしても、スイッチ装置９０を押下することができないため、スイッチ装置９０がスイッチＩ／Ｆ６０に装着されていない状態において各種信号が複合機側へ出力（読み出）されてしまうことを防止できる。
【０１７３】
また、上記実施形態においては、スイッチ装置９０が、単一のアクセスデータ（第１アクセスデータ）を記録しており、このアクセスデータがスイッチ装置９０の押下といった単一の操作手順を経て複合機側へ出力（読み出）されるように構成されたものを例示した。しかし、スイッチ装置９０を、複数のアクセスデータを記録しておくと共に、複数種類の操作手順で操作可能に構成（例えば、複数箇所を押下可能に構成）し、それぞれの操作手順に応じて異なるアクセスデータ（第１アクセスデータ）が複合機側へ出力（読み出）されるように構成してもよい。
【０１７４】
また、上記実施形態においては、図６におけるｓ３００の処理，図８におけるｓ５１０の処理でウェブページを用紙に印刷させるように構成されたものを例示した。しかし、複合機が、ウェブページを表示するのに充分な表示領域を有する表示装置を備えている場合には、ｓ３００，ｓ５１０の処理においてウェブページの画像を表示装置に表示させるように構成してもよい。このように構成すれば、利用者は、ｓ２９０，ｓ５００（ｓ５０２）の処理で複合機が受信したウェブページを表示装置により閲覧することができる。
【０１７５】
また、上記実施形態においては、アクセスデータがウェブページのＵＲＬを示すデータである構成を例示した。しかし、アクセスデータは、インターネット２００上に存在するハードウェアやソフトウェアなどの資源を識別（資源の場所を特定）するための識別情報（ＵＲＩ；Ｕｎｉｆｏｒｍ  Ｒｅｓｏｕｒｃｅ  Ｉｄｅｎｔｉｆｉｅｒｓ）であれば、ＵＲＬ以外を示すデータであってもよい。
【０１７６】
また、上記実施形態においては、スイッチ装置９０を押下してウェブページへアクセス可能な残り回数が「０」ではないことを条件として、アクセスデータ（第１アクセスデータ）を出力するように構成されたものを例示した。しかし、この条件を、例えば、特定の日付、時間、および、これらで示される期間としてもよい。この場合、図５におけるｓ１２０の処理では、特定の日付，時間であること、または、これらで示される期間内であるかどうかをチェックするとして、図６（図８）のアクセス管理処理は、押下通知信号を入力した際に開始されて、ｓ２５０からｓ２９０の処理（ｓ４４０からｓ５３０の処理）のみで構成される処理とすればよい。
【０１７７】
また、アクセスデータ（第１アクセスデータ）を出力する際の条件としては、スイッチ装置９０を押下する利用者が認証できたこととする構成を考えることもできる。具体的には、スイッチ装置９０に、利用者に認証データを入力させるための認証入力装置を設け、スイッチ装置９０を押下するタイミングで、再度、認証入力装置により認証データを入力させるように構成すると共に、あらかじめ認証入力装置により入力された認証データをＲＡＭ９３に記録しておくといった構成である。そして、図５におけるｓ１２０の処理では、認証入力装置により入力された認証データと、ＲＡＭ９３に記録されている認証データを照合して、一致する場合のみｓ１３０の処理へ移行するように構成すればよい。
【０１７８】
このように構成すれば、スイッチ装置９０を操作した利用者が認証された場合のみ、アクセスデータが複合機へ出力され、ウェブページへアクセスすることができる。そのため、特定の利用者のみが、複合機１およびスイッチ装置９０を利用してウェブページを閲覧できるようにすることができる。
【０１７９】
なお、認証データとしてパスワードやＩＤ（ｉｄｅｎｔｉｆｉｃａｔｉｏｎ）を採用した場合であれば、上述の認証入力装置を入力キーにより構成して、スイッチ装置９０が押下されるタイミングでパスワードやＩＤを利用者に入力させるように構成すればよい。また、認証データとしてバイオメトリクス認証における身体的特徴（例えば、指紋、掌紋、手形、手の甲の静脈、虹彩、顔、音声など）を示すデータを採用した場合であれば、上述の認証入力装置を各種センサからなる入力装置により構成して、上述したタイミングで、各種センサからなる入力装置により身体的特徴を示すデータを利用者に入力させるように構成すればよい。
【０１８０】
また、上記実施形態においては、図６におけるｓ２２０からｓ２４０の処理またはｓ３１０からｓ３３０の処理で、カウント問合信号の出力、カウント応答信号の入力、および、残り回数の報知を行うように構成されたものを例示した。しかし、ｓ２２０からｓ２４０の処理またはｓ３１０からｓ３３０の処理は、ユーザＩ／Ｆ４０の操作パネル４２により所定の操作が行われたタイミングで行われるように構成してもよい。このように構成すれば、利用者は、操作パネル４２を操作することにより、任意のタイミングでウェブページのアクセス回数、ウェブページへアクセスできる残り回数、ウェブページにアクセスできる最大回数を確認することができる。
【０１８１】
また、上記実施形態においては、図８におけるｓ４２０からｓ４３０の処理またはｓ５２０からｓ５３０の処理で、各データの読み出し、および、データで示される回数の報知を行うように構成されたものを例示した。しかし、ｓ４２０からｓ４３０の処理またはｓ５２０からｓ５３０の処理は、ユーザＩ／Ｆ４０の操作パネル４２により所定の操作が行われたタイミングで行われるように構成してもよい。このように構成すれば、利用者は、操作パネル４２を操作することにより、任意のタイミングでウェブページへアクセスできる残り回数を確認することができる。
【０１８２】
また、上記実施形態においては、スイッチＩ／Ｆ６０の第２閉結回路が閉結することによりスイッチＩ／Ｆ６０から出力される押下通知信号によって、複合機側においてスイッチ装置９０がスイッチＩ／Ｆ６０に装着された状態で押下されたことを検出するように構成されたものを例示した。しかし、スイッチ装置９０の押下に伴う物理的な変位量を検出するセンサによって、スイッチ装置９０が押下されたことを検出するように構成してもよい。
【０１８３】
また、上記実施形態においては、スイッチ装置９０の操作に伴い複合機側からスイッチ装置９０へ出力されるアクセスデータ要求信号によって、スイッチ装置９０側においてスイッチ装置９０がスイッチＩ／Ｆ６０に装着された状態で押下されたことを検出するように構成されたものを例示した。しかし、スイッチ装置９０の押下に伴う物理的な変位量を検出するセンサによって、スイッチ装置９０が押下されたことを検出するように構成してもよい。
【０１８４】
また、上記実施形態においては、図６におけるｓ２４０，ｓ２８０，ｓ３３０の処理、図８におけるｓ４３０，ｓ４７０，ｓ５３０の処理でユーザＩ／Ｆ６０の表示パネル４４に報知すべき報知内容を表示することにより報知を行うように構成されたものを例示した。しかし、これらの処理による報知は、例えば、報知内容を含む文字や画像をプリンタ部３６により印刷させることにより行うように構成してもよい。また、報知内容を示すメッセージをスピーカで出力することにより報知を行うように構成すればよい。
【０１８５】
また、上記第３実施形態においては、図７におけるｓ１７０の処理で第２アクセスデータを出力するように構成されたものを例示した。しかし、このｓ１７０の処理では、アクセスデータ以外のデータを出力して、図６におけるｓ２８０の処理では、アクセスデータ（第１アクセスデータ）を入力できなかった旨の報知と共に、スイッチ装置９０から入力したデータに基づく処理を行うように構成してもよい。
【０１８６】
また、上記第５実施形態においては、第１，第２アクセスデータそれぞれに対する記録領域があらかじめ定められており、図９におけるｓ４７２の処理では、第２アクセスデータ用の記録領域に記録されたデータを第２アクセスデータとして読み出し、ｓ４９２の処理では、第１アクセスデータ用の記録領域に記録されたデータを第１アクセスデータとして読み出すことによって、両アクセスデータを識別するように構成されたものを例示した。しかし、両アクセスデータを識別するための構成は特に限定されない。例えば、スイッチ装置９０のＲＯＭ９２に記録されている第１，第２アクセスデータの名称（ファイル名）を特定の名称に設定しておき、これらの名称に基づいて該当するアクセスデータを読み出すことによって、両アクセスデータを識別するように構成してもよい。
また、上記実施形態においては、スイッチ装置９０の表示領域Ａに、ウェブページの名称が刻印されているものを例示した。しかし、この表示領域Ａには、ウェブページの名称を記載、または、名称が記載されたシールを貼り付けてもよい。また、表示領域Ａに表示させる情報としては、ウェブページに関する情報であれば、ウェブページの名称以外のものであってもよい。
［本発明との対応関係］
以上説明した実施形態において、複合機は本発明における通信システム，通信装置および端末装置、スイッチ装置９０は本発明における操作部材およびスイッチ操作部材である。
【０１８７】
また、複合機におけるプリンタ部３６は本発明における印刷手段、スイッチ装置９０のＲＯＭ９２およびＲＡＭ９３は本発明における記録手段である。
また、図５におけるｓ１５０の処理、図７におけるｓ１５２，ｓ１７０の処理、図８におけるｓ４９０の処理、図９におけるｓ４７２，ｓ４９２の処理は、本発明における伝送手段である。
【０１８８】
また、図５および図７のアクセスデータ出力処理を開始する際に、押下通知信号を入力したことを検出するスイッチ装置９０のＣＰＵ９１は、本発明における操作側検出手段である。
また、図５および図７の処理において、変数Ｅにセットされた値「ｅ」は本発明における出力回数であり、ｓ１４０（ｓ１４２）の処理は本発明におけるカウント手段である。
【０１８９】
また、図６におけるｓ２１０の処理，図８におけるｓ４１０の処理および図９におけるｓ４１０の処理は、本発明における装置側検出手段である。
また、図８および図９におけるｓ４２０，ｓ４４０，ｓ５２０の処理は本発明における読出手段、ｓ４３０，ｓ５３０の処理は本発明における回数報知手段、ｓ４７０の処理は本発明における未読出報知手段、ｓ４８０の処理は本発明における書換手段である。
【０１９０】
また、図６におけるｓ３００，図８におけるｓ５１０の処理，図９におけるｓ５１０の処理は、本発明における印刷指令手段である。
また、図５におけるｓ１６０の処理はカウント応答手段および許可応答手段である。
【０１９１】
また、図６におけるｓ２２０の処理はカウント問合手段および許可問合手段、ｓ２４０の処理はカウント報知手段および許可報知手段、ｓ２８０の処理は本発明における未入力報知手段である。
また、『スイッチ装置９０を押下してウェブページへアクセスした回数が許可回数データで示される回数ｐに到達していないこと』は、本発明における伝送条件である。
【０１９２】
また、複合機がウェブページを表示するのに充分な表示領域を有する表示装置を備えている場合に、ｓ３００，ｓ５１０の処理においてウェブページの画像を表示装置に表示させる変形例の構成において、表示装置は本発明における表示手段、ｓ３００，ｓ５１０の処理は本発明における表示指令手段である。
【図面の簡単な説明】
【図１】実施形態における複合機の制御系統を示すブロック図
【図２】実施形態における複合機の外観を示す斜視図
【図３】複合機のスイッチＩ／Ｆ周辺を示す斜視図
【図４】スイッチ装置の制御系統を示すブロック図
【図５】第１，第２実施形態におけるアクセスデータ出力処理の処理手順を示すフローチャート
【図６】第１，第２実施形態におけるアクセス管理処理の処理手順を示すフローチャート
【図７】第３実施形態におけるアクセスデータ出力処理の処理手順を示すフローチャート
【図８】第４実施形態におけるアクセス管理処理の処理手順を示すフローチャート
【図９】第５実施形態におけるアクセス管理処理の処理手順を示すフローチャート
【符号の説明】
１，２，３，４，５・・・複合機、１２・・・ＣＰＵ、１４・・・ＲＯＭ、１６・・・ＲＡＭ、２０・・・ハンドセット、３２・・・スキャナ部、３４・・・モデム、３６・・・プリンタ部、３４・・・ＰＣインターフェース部、４０・・・ユーザインターフェース部、４２・・・操作パネル、４４・・・表示パネル、４６・・・スピーカ部、５２・・・通信制御部、５４・・・回線制御部、６０・・・スイッチインターフェース部、６４・・・インターフェース部、６４ａ・・・固定部、６４ｂ・・・スイッチ機構、６６・・・基板、７０・・・バス、８１・・・本体ケース、８２・・・読取用トレイ、８３・・・給紙トレイ、８４・・・開口、９０・・・スイッチ装置、９１・・・ＣＰＵ、９２・・・ＲＯＭ、９３・・・ＲＡＭ、９４・・・インターフェース部、９５・・・バス。
【図１】
2004240650.tif 000003
【図２】
2004240650.tif 000004
【図３】
2004240650.tif 000005
【図４】
2004240650.tif 000006
【図５】
2004240650.tif 000007
【図６】
2004240650.tif 000008
【図７】
2004240650.tif 000009
【図８】
2004240650.tif 000010
【図９】
2004240650.tif 000011